(57)【要約】【課題】インク以外の材料により装飾を行えるようにすることで、装飾性を向上する。【解決手段】初期印刷、中期印刷及び後期印刷の後、ステップＳ１５０において、ＣＰＵ３０１が処理領域から作業位置へ載置テーブル１０５を移動させる。操作者は、移動した載置テーブル１０５に載った被印刷媒体１０４に付着した粘着性を備えている状態のインクに対し、ラメ等の装飾材の散布作業を実行することができる。載置テーブル１０５の作業位置への移動及び散布作業の後、ステップＳ１６５及びステップＳ２００において、ＣＰＵ３０１は、作業位置から処理領域へ再び載置テーブル１０５を移動させる。ＵＶ照射装置１２１は、移動した載置テーブル１０５に載せた被印刷媒体１０４のインクの外表面の少なくとも一部に対し、再度紫外線を照射し、装飾材を散布したインクの粘着性を喪失させるように所定の硬化段階を超えるまで硬化させる。【選択図】図７
2011212908.tif 000002
【特許請求の範囲】
【請求項１】
被記録媒体を載置可能な載置手段と、
紫外線の照射を契機に粘着性を生じながら硬化が進行し、所定の硬化段階までは外表面に粘着性を有するインクを吐出するノズルを備えた吐出手段と、
紫外線を照射する照射手段と、
前記載置手段を移動させる駆動手段と、
前記載置手段が載置した前記被記録媒体の外表面に前記インクを吐出し、前記被記録媒体に付着した前記インクに対し所定の第１照射量の紫外線の照射を行うように、前記吐出手段及び前記照射手段を制御する一括制御手段と、
前記一括制御手段の代わりに、前記載置手段が載置した前記被記録媒体の外表面に前記インクを吐出し、前記被記録媒体に付着した前記インクに対し前記第１照射量よりも少ない第２照射量の紫外線の照射を行うように、前記吐出手段及び前記照射手段を制御する一次制御手段と、
前記一次制御手段の制御により実行した前記インクの吐出及び前記紫外線の照射の後、当該吐出及び照射が可能な処理領域から、操作者が前記付着した前記インクに対し、前記ノズルの径よりも大きな固体要素の散布作業を実行可能な作業領域へ、前記載置手段を移動させるように、前記駆動手段を制御する二次制御手段と、
前記二次制御手段の制御により実行した前記載置手段の前記作業領域への移動の後、前記載置手段を前記作業領域から前記処理領域へ移動させ、前記被記録媒体のインクの外表面の少なくとも一部に、前記所定の硬化段階を超えるまで、前記紫外線を照射するように、前記駆動手段及び前記照射手段を制御する三次制御手段と
を有することを特徴とする記録装置。
【請求項２】
請求項１記載の記録装置において、
前記一括制御手段の制御による前記インクの吐出及び前記紫外線の照射を実行する一括記録モード、及び、前記一次制御手段の制御による前記インクの吐出及び前記紫外線の照射と、前記二次制御手段の制御による前記載置手段の移動と、前記三次制御手段の制御による前記紫外線の照射とを、実行する、多段記録モード、のうち、いずれかのモードを設定するためのモード設定手段を有し、
前記一括記録モードにおいて、前記一括制御手段は、
前記第１照射量を、ＪＩＳ  Ｚ３２８４に準拠したタッキング試験機による評価においてインクの引張荷重が０となるときの照射量の最小値に設定し、
前記多段記録モードにおいて、前記一次制御手段は、
前記第２照射量を、ＪＩＳ  Ｚ３２８４に準拠したタッキング試験機による評価においてインクの引張荷重が０となるときの照射量の最小値の０．０５倍〜０．９５倍の範囲に設定する
ことを特徴とする記録装置。
【請求項３】
請求項１又は請求項２に記載の記録装置において、
前記二次制御手段の制御により前記駆動手段が前記載置手段を作業領域に移動させた状態において、前記照射手段による紫外線の照射を停止させる、照射停止手段を有する
ことを特徴とする記録装置。
【請求項４】
請求項１乃至請求項３のいずれか１項記載の記録装置において、
前記二次制御手段の制御により前記駆動手段が前記載置手段を作業領域に移動させた状態において、前記吐出手段に対し所定のメンテナンス動作を実行させる、メンテナンス実行手段を備えることを特徴とする記録装置。
【請求項５】
請求項１乃至請求項４のいずれか１項記載の記録装置において、
前記二次制御手段の制御により前記駆動手段が前記載置手段を作業領域に移動させた状態において、前記三次制御手段による制御に関する情報を報知する報知手段を備えることを特徴とする記録装置。
【請求項６】
被記録媒体を載置可能な載置手段と、
紫外線の照射を契機に粘着性を生じながら硬化が進行し、所定の硬化段階までは外表面に粘着性を有するインクを吐出するノズルを備えた吐出手段と、
紫外線を照射する照射手段と、
前記ノズルの径よりも大きな固体要素の散布を行う散布手段と、
前記載置手段が載置した前記被記録媒体の外表面に前記インクを吐出し、前記被記録媒体に付着した前記インクに対し、前記所定の硬化段階となる照射量よりも小さい照射量の紫外線の照射を行うように、前記吐出手段及び前記照射手段を制御する第１制御手段と、
前記第１制御手段の制御により実行した前記インクの吐出及び前記紫外線の照射の後、前記付着した前記インクに対し、前記固体要素の散布を行うように、前記散布手段を制御する第２制御手段と、
前記第２制御手段の制御により実行した前記散布の後、前記被記録媒体のインクの外表面の少なくとも一部に、前記所定の硬化段階を超えるまで、前記紫外線を照射するように、前記照射手段を制御する第３制御手段と
を有することを特徴とする記録装置。
【請求項７】
請求項６記載の記録装置において、
前記第１制御手段は、
前記第２制御手段の制御に基づく前記散布手段の前記固体要素の散布量が多い場合には照射量を小さくし、前記第２制御手段の制御に基づく前記散布手段の前記固体要素の散布量が少ない場合には照射量を大きくするように、前記照射手段を制御する
ことを特徴とする記録装置。
【請求項８】
請求項１乃至請求項７のいずれか１項記載の記録装置において、
前記載置手段に載置した前記被記録媒体に向かって気体を流動させるための流動手段と、
二次制御手段の制御実行後で三次制御手段の制御に基づく紫外線の照射の完了前に、若しくは、第２制御手段の制御実行後で第３制御手段の制御に基づく紫外線の照射の完了前に、気体流動を実行するよう前記流動手段を制御する流動制御手段と
を有することを特徴とする記録装置。
【請求項９】
請求項８記載の記録装置において、
前記流動制御手段は、
一次制御手段の制御に基づく、若しくは、第１制御手段の制御に基づく、照射手段による紫外線の照射時において、当該照射手段に向かって気体を流動するように、前記流動手段を制御する
ことを特徴とする記録装置。
【請求項１０】
請求項８又は請求項９記載の記録装置において、
前記流動制御手段は、
一次制御手段の制御に基づき、若しくは、第１制御手段の制御に基づき、前記吐出手段が吐出したインクが、当該吐出手段から遠ざかる方向に気体を流動するように、前記流動手段を制御する
ことを特徴とする記録装置。
【請求項１１】
請求項７乃至請求項１０のいずれか１項記載の記録装置において、
前記流動制御手段は、
三次制御手段の制御に基づく、若しくは、第３制御手段の制御に基づく、前記照射手段の紫外線の照射量が小さいほど弱い気流を生じるように、前記流動手段を制御する
ことを特徴とする記録装置。
【請求項１２】
請求項１乃至請求項１１のいずれか１項記載の記録装置において、
一次制御手段の制御に基づく、若しくは、第１制御手段の制御に基づく、前記照射手段の紫外線の照射によって硬化されたインクの外表面に対して移動可能な状態の前記固体要素を除去する除去手段と、
二次制御手段の制御実行後で三次制御手段の制御に基づく紫外線の照射の完了前に、若しくは、第２制御手段の制御実行後で第３制御手段の制御に基づく紫外線の照射の完了前に、前記固体要素の除去を実行するよう前記除去手段を制御する除去制御手段と
を有することを特徴とする記録装置。
【請求項１３】
請求項１乃至請求項１２のいずれか１項記載の記録装置において、
前記載置手段と前記照射手段とを相対的に移動させる移動手段と、
三次制御手段の制御に基づく、若しくは、第３制御手段の制御に基づく、照射手段による紫外線の照射時において、前記載置手段と前記照射手段とを相対的に移動させるよう、前記移動手段を制御する移動制御手段と
を有することを特徴とする記録装置。
【請求項１４】
請求項１乃至請求項１３のいずれか１項記載の記録装置において、
一次制御手段の制御に基づく、若しくは、第１制御手段の制御に基づく、照射手段による紫外線の照射によるインクの硬化段階を設定する硬化度設定手段を有し、
一次制御手段若しくは第１制御手段は、
前記硬化度設定手段の設定に対応した照射量の紫外線の照射を行うように、前記照射手段を制御する
ことを特徴とする記録装置。
【請求項１５】
請求項１乃至請求項１４のいずれか１項記載の記録装置において、
前記インクは経時的に硬化するものであって、
前記被記録媒体のインクの外表面の粘着性に関連した時点情報又は期間情報を取得する時間情報取得手段を有し、
三次制御手段若しくは第３制御手段は、
前記時間情報取得手段が取得した前記時点情報又は前記期間情報に対応した粘着性を実現する照射量となるように、前記照射手段を制御することを特徴とする記録装置。
【請求項１６】
請求項１乃至請求項１５のいずれか１項記載の記録装置において、
前記吐出手段は、
エポキシ化合物、オキセタン加工物、及びビニルエーテル加工物のうち少なくとも１つと、重合開始剤、増感剤を含む、カチオン系の前記インクを吐出する
ことを特徴とする記録装置。
【請求項１７】
請求項１乃至請求項１６のいずれか１項記載の記録装置において、
三次制御手段若しくは第３制御手段は、
前記所定の硬化段階としての、ＪＩＳ  Ｚ３２８４に準拠したタッキング試験機による評価においてインクの引張荷重が０となる段階、を超えるまで前記紫外線を照射するように、前記照射手段を制御する
ことを特徴とする記録装置。
【請求項１８】
請求項１乃至請求項１７のいずれか１項記載の記録装置において、
一次制御手段若しくは第１制御手段は、
ＪＩＳ  Ｚ３２８４に準拠したタッキング試験機による評価においてインクの引張荷重が０となるときの照射量の最小値の０．０５倍〜０．９５倍の範囲の照射量を照射するように、前記照射手段を制御する
ことを特徴とする記録装置。
【請求項１９】
請求項１乃至請求項１８のいずれか１項記載の記録装置において、
前記固体要素は、
セラミック、樹脂、金属のいずれかから成り、粒状、フィルム、粉体、及び繊維のうち、少なくとも１つの形状で構成されていることを特徴とする記録装置。
【請求項２０】
被記録媒体を載置可能な載置手段と、紫外線の照射を契機に粘着性を生じながら硬化が進行し、所定の硬化段階までは外表面に粘着性を有するインクを吐出するノズルを備えた吐出手段と、紫外線を照射する照射手段と、前記載置手段を移動させる駆動手段と、を有する記録装置に備えられた制御手段に対し、
前記載置手段が載置した前記被記録媒体の外表面に前記インクを吐出し、前記被記録媒体に付着した前記インクに対し所定の第１照射量の紫外線の照射を行うように、前記吐出手段及び前記照射手段を制御する一括制御手順と、
前記一括制御手順の代わりに、前記載置手段が載置した前記被記録媒体の外表面に前記インクを吐出し、前記被記録媒体に付着した前記インクに対し前記第１照射量よりも少ない第２照射量の紫外線の照射を行うように、前記吐出手段及び前記照射手段を制御する一次手順と、
前記一次手順で実行した前記インクの吐出及び前記紫外線の照射の後、当該吐出及び照射が可能な処理領域から、操作者が前記付着した前記インクに対し、前記ノズルの径よりも大きな固体要素の散布作業を実行可能な作業領域へ、前記載置手段を移動させるように、前記駆動手段を制御する二次手順と、
前記二次手順で実行した前記載置手段の前記作業領域への移動の後、前記載置手段を前記作業領域から前記処理領域へ移動させ、前記被記録媒体のインクの外表面の少なくとも一部に、前記所定の硬化段階を超えるまで、前記紫外線を照射するように、前記駆動手段及び前記照射手段を制御する三次手順と
を実行させるための記録装置の制御プログラム。
【請求項２１】
被記録媒体を載置可能な載置手段と、紫外線の照射を契機に粘着性を生じながら硬化が進行し、所定の硬化段階までは外表面に粘着性を有するインクを吐出するノズルを備えた吐出手段と、紫外線を照射する照射手段と、前記ノズルの径よりも大きな固体要素の散布を行う散布手段と、を有する記録装置に備えられた制御手段に対し、
前記載置手段が載置した前記被記録媒体の外表面に前記インクを吐出し、前記被記録媒体に付着した前記インクに対し、前記所定の硬化段階となる照射量よりも小さい照射量の紫外線の照射を行うように、前記吐出手段及び前記照射手段を制御する第１手順と、
前記第１制御手順で実行した前記インクの吐出及び前記紫外線の照射の後、前記付着した前記インクに対し、前記固体要素の散布を行うように、前記散布手段を制御する第２手順と、
前記第２手順で実行した前記散布の後、前記被記録媒体のインクの外表面の少なくとも一部に、前記所定の硬化段階を超えるまで、前記紫外線を照射するように、前記照射手段を制御する第３手順と
を実行させるための記録装置の制御プログラム。
【請求項２２】
紫外線の照射を契機に粘着性を生じながら硬化が進行し所定の硬化段階までは外表面に粘着性を有するインクを、被記録媒体の外表面に対しノズルから吐出するとともに、前記被記録媒体に付着した前記インクに対し、前記所定の硬化段階となる照射量よりも小さい照射量の紫外線の照射を行う、第１ステップと、
前記第１ステップでの前記インクの吐出及び前記紫外線の照射の後、前記付着した前記インクに対し、前記ノズルの径よりも大きな固体要素の散布を行う第２ステップと、
前記第２ステップでの前記散布の後、前記被記録媒体のインクの外表面の少なくとも一部に、前記所定の硬化段階を超えるまで、前記紫外線を照射する、第３ステップと
を有する記録方法。
【発明の詳細な説明】
【技術分野】
【０００１】
本発明は、インクを被記録媒体上に吐出し、その被記録媒体上のインクに紫外線を照射する記録装置、記録装置の制御プログラム及び記録方法に関する。
【背景技術】
【０００２】
従来より、インクを吐出する吐出手段と、吐出したインクに紫外線を照射する照射手段とを備える記録装置がある（例えば、特許文献１参照）。吐出手段は、載置手段が載置した被記録媒体に対しインクの吐出を行い、印刷による記録を行う。照射手段は、被記録媒体に付着したインクに対し、紫外線を照射する。被記録媒体に付着したインクは、紫外線の露光により硬化する。
【先行技術文献】
【特許文献】
【０００３】
【特許文献１】特開２００２−２９２８８７号公報
【発明の概要】
【発明が解決しようとする課題】
【０００４】
従来の記録装置は、インクの種類や色合いだけで被記録媒体の装飾を図るしかなく、色彩による単調な表現しかできなかった。
【０００５】
一方、装飾性を向上するために、ラメ等の装飾材を含有させたインクを用いることも考えられる。しかし、この場合には次のような課題が存在する。装飾材を含有したインクを吐出手段から吐出するためには、装飾材の大きさを吐出口よりも小さくする必要があり、その形状も球状に近いものとする必要がある。このため、装飾材の大きさや形状が制限を受ける。また、インクが装飾材を過剰に含有すると吐出手段がインクを吐出できなくなるおそれがあるため、装飾材の含有量も制限を受ける。さらに、装飾材を含有するインクにおいては、装飾材はインクを構成する液体状の溶媒中に浮遊するが、インクが紫外線により硬化すると、硬化した溶媒がインクの表面を覆い、大半の装飾材が硬化した溶媒の内側に位置することになる。このため、自然光や電灯の光がインク表面に当たっても装飾材に届かず、装飾材は装飾機能を十分に発揮することができない。このように、装飾材を含有させたインクを用いたとしても、所望の装飾性を得られるとは限らなかった。
【０００６】
本発明の目的は、インク以外の材料により装飾を行えるようにすることで、装飾性を向上することができる記録装置、記録装置の制御プログラム、記録方法を提供することにある。
【課題を解決するための手段】
【０００７】
上記目的を達成するために、第１発明の記録装置は、被記録媒体を載置可能な載置手段と、紫外線の照射を契機に粘着性を生じながら硬化が進行し、所定の硬化段階までは外表面に粘着性を有するインクを吐出するノズルを備えた吐出手段と、紫外線を照射する照射手段と、前記載置手段を移動させる駆動手段と、前記載置手段が載置した前記被記録媒体の外表面に前記インクを吐出し、前記被記録媒体に付着した前記インクに対し所定の第１照射量の紫外線の照射を行うように、前記吐出手段及び前記照射手段を制御する一括制御手段と、前記一括制御手段の代わりに、前記載置手段が載置した前記被記録媒体の外表面に前記インクを吐出し、前記被記録媒体に付着した前記インクに対し前記第１照射量よりも少ない第２照射量の紫外線の照射を行うように、前記吐出手段及び前記照射手段を制御する一次制御手段と、前記一次制御手段の制御により実行した前記インクの吐出及び前記紫外線の照射の後、当該吐出及び照射が可能な処理領域から、操作者が前記付着した前記インクに対し、前記ノズルの径よりも大きな固体要素の散布作業を実行可能な作業領域へ、前記載置手段を移動させるように、前記駆動手段を制御する二次制御手段と、前記二次制御手段の制御により実行した前記載置手段の前記作業領域への移動の後、前記載置手段を前記作業領域から前記処理領域へ移動させ、前記被記録媒体のインクの外表面の少なくとも一部に、前記所定の硬化段階を超えるまで、前記紫外線を照射するように、前記駆動手段及び前記照射手段を制御する三次制御手段とを有することを特徴とする。
【０００８】
本願第１発明の記録装置は、載置手段と、吐出手段とを有する。吐出手段は、載置手段が載置した被記録媒体に対しインクの吐出を行い、印刷による記録を行う。照射手段は、一括制御手段による制御時には、被記録媒体に付着したインクに対し、所定の第１照射量の紫外線を照射する。
【０００９】
一括制御手段の代わりに実行する一次制御手段の制御時には、照射手段は、被記録媒体に付着したインクに対し、一括制御手段の制御時よりも少ない第２照射量の紫外線を照射する。吐出手段が吐出したインクは、照射手段による紫外線の照射を契機に硬化するインクである。インクは、所定の硬化段階までは外表面に粘着性を有する。
【００１０】
一次制御手段の制御に基づくインクの吐出、及び、紫外線の照射の後、二次制御手段の制御に基づき、駆動手段は、処理領域から作業領域へ載置手段を移動させる。操作者は、移動した載置手段に載った被記録媒体に付着した、粘着性を備えている状態のインクに対し、ノズルの径よりも大きな固体要素の散布作業を実行することができる。
【００１１】
載置手段の作業領域への移動及び上記散布作業の後、三次制御手段の制御に基づき、駆動手段は、作業領域から処理領域へ再び載置手段を移動させる。照射手段は、移動した載置手段に載せた被記録媒体のインクの外表面の少なくとも一部に対し、再度紫外線を照射し、固体要素を散布したインクを上記所定の硬化段階を超えるまで硬化させる。
【００１２】
本願第１発明の記録装置によれば、紫外線の照射により硬化進行中で粘着性を備えているインクに対し、操作者が固体要素を散布して定着させた後、さらに紫外線を照射して硬化させることができる。インクの種類や色合いだけで装飾を図る従来手法と異なり、インク以外の材料により装飾を行えるので、装飾性を向上することができる。
【００１３】
第２発明の記録装置は、上記第１発明において、前記一括制御手段の制御による前記インクの吐出及び前記紫外線の照射を実行する一括記録モード、及び、前記一次制御手段の制御による前記インクの吐出及び前記紫外線の照射と、前記二次制御手段の制御による前記載置手段の移動と、前記三次制御手段の制御による前記紫外線の照射とを、実行する、多段記録モード、のうち、いずれかのモードを設定するためのモード設定手段を有し、前記一括記録モードにおいて、前記一括制御手段は、前記第１照射量を、ＪＩＳ  Ｚ３２８４に準拠したタッキング試験機による評価においてインクの引張荷重が０となるときの照射量の最小値以上に設定し、前記多段記録モードにおいて、前記一次制御手段は、前記第２照射量を、ＪＩＳ  Ｚ３２８４に準拠したタッキング試験機による評価においてインクの引張荷重が０となるときの照射量の最小値の０．０５倍〜０．９５倍の範囲に設定することを特徴とする。
【００１４】
固体要素の散布を行わない場合には、一括記録モードを用いる。所定の硬化段階を超えるまで紫外線を照射し、インクを十分に硬化させることができる。固体要素の散布を行う場合には、多段記録モードを用いる。所定の硬化段階まで紫外線を照射してインクに粘着性を残した状態で、固体要素の散布を行い、粘着性により固体要素をインクに確実に定着することができる。
【００１５】
第３発明の記録装置は、上記第１又は第２発明において、前記二次制御手段の制御により前記駆動手段が前記載置手段を作業領域に移動させた状態において、前記照射手段による紫外線の照射を停止させる、照射停止手段を有することを特徴とする。
【００１６】
被記録媒体が作業領域へ移動した状態で、照射手段が無駄に照射を行うのを防止することができる。
【００１７】
第４発明の記録装置は、上記第１乃至第３発明のいずれかにおいて、前記二次制御手段の制御により前記駆動手段が前記載置手段を作業領域に移動させた状態において、前記吐出手段に対し所定のメンテナンス動作を実行させる、メンテナンス実行手段を備えることを特徴とする。
【００１８】
被記録媒体が作業領域へ移動し処理領域に不在となった状態を活用し、吐出手段のメンテナンスを行うことができる。
【００１９】
第５発明の記録装置は、上記第１乃至第４発明のいずれかにおいて、前記二次制御手段の制御により前記駆動手段が前記載置手段を作業領域に移動させた状態において、前記三次制御手段による制御に関する情報を報知する報知手段を備えることを特徴とする。
【００２０】
固体要素をインクに対し所望の態様で定着させるには、固体要素の散布の後の照射を例えばいつ頃からどのように開始すればよいかを知っておくことが望ましい。本願第５発明では、報知手段が、三次制御手段による制御に関する情報を報知するので、操作者は、例えば上記の時間的な目安を確実に知ることができる。
【００２１】
上記目的を達成するために、第６発明の記録装置は、被記録媒体を載置可能な載置手段と、紫外線の照射を契機に粘着性を生じながら硬化が進行し、所定の硬化段階までは外表面に粘着性を有するインクを吐出するノズルを備えた吐出手段と、紫外線を照射する照射手段と、前記ノズルの径よりも大きな固体要素の散布を行う散布手段と、前記載置手段が載置した前記被記録媒体の外表面に前記インクを吐出し、前記被記録媒体に付着した前記インクに対し、前記所定の硬化段階となる照射量よりも小さい照射量の紫外線の照射を行うように、前記吐出手段及び前記照射手段を制御する第１制御手段と、前記第１制御手段の制御により実行した前記インクの吐出及び前記紫外線の照射の後、前記付着した前記インクに対し、前記固体要素の散布を行うように、前記散布手段を制御する第２制御手段と、前記第２制御手段の制御により実行した前記散布の後、前記被記録媒体のインクの外表面の少なくとも一部に、前記所定の硬化段階を超えるまで、前記紫外線を照射するように、前記照射手段を制御する第３制御手段とを有することを特徴とする。
【００２２】
本願第６発明の記録装置は、載置手段と、吐出手段とを有する。吐出手段は、載置手段が載置した被記録媒体に対しインクの吐出を行い、印刷による記録を行う。吐出手段が吐出したインクは、照射手段による紫外線の照射を契機に硬化するインクである。インクは、所定の硬化段階までは外表面に粘着性を有する。照射手段は、第１制御手段の制御に基づき、被記録媒体に付着したインクに対し、上記所定の硬化段階となる照射量よりも小さい照射量の紫外線を照射する。
【００２３】
第１制御手段の制御に基づくインクの吐出、及び、紫外線の照射の後、第２制御手段の制御に基づき、散布手段が、移動した載置手段に載った被記録媒体に付着した、粘着性を備えている状態のインクに対し、ノズルの径よりも大きな固体要素の散布を行う。
【００２４】
上記散布の後、第３制御手段の制御に基づき、照射手段は、載置手段に載せた被記録媒体のインクの外表面の少なくとも一部に対し、再度紫外線を照射し、固体要素を散布したインクを上記所定の硬化段階を超えるまで硬化させる。
【００２５】
本願第６発明の記録装置によれば、紫外線の照射により硬化進行中で粘着性を備えているインクに対し、自動的に固体要素を散布して定着させた後、さらに紫外線を照射して硬化させることができる。インクの種類や色合いだけで装飾を図る従来手法と異なり、インク以外の材料により装飾を行えるので、装飾性を向上することができる。
【００２６】
第７発明の記録装置は、上記第６発明において、前記第１制御手段は、前記第２制御手段の制御に基づく前記散布手段の前記固体要素の散布量が多い場合には照射量を小さくし、前記第２制御手段の制御に基づく前記散布手段の前記固体要素の散布量が少ない場合には照射量を大きくするように、前記照射手段を制御することを特徴とする。
【００２７】
散布する固体要素が多い場合には、第１制御手段に基づく照射手段の照射量を小さくすることにより、インクの硬化程度を低くして粘着性を高くし、より多くの固体要素を確実に定着させることができる。散布する固体要素が少ない場合には、第１制御手段に基づく照射手段の照射量を大きくすることにより、インクの硬化程度を高くして粘着性を低く、より迅速な硬化を優先した定着を行うことができる。
【００２８】
第８発明の記録装置は、上記第１乃至第７発明のいずれかにおいて、前記載置手段に載置した前記被記録媒体に向かって気体を流動させるための流動手段と、二次制御手段の制御実行後で三次制御手段の制御に基づく紫外線の照射の完了前に、若しくは、第２制御手段の制御実行後で第３制御手段の制御に基づく紫外線の照射の完了前に、気体流動を実行するよう前記流動手段を制御する流動制御手段とを有することを特徴とする。
【００２９】
気体の吸引又は送風により過剰な固体要素を除去することで固体要素による紫外線の遮断を防ぎ、インクを効率的に硬化することができる。
【００３０】
第９発明の記録装置は、上記第８発明において、前記流動制御手段は、一次制御手段の制御に基づく、若しくは、第１制御手段の制御に基づく、照射手段による紫外線の照射時において、当該照射手段に向かって気体を流動するように、前記流動手段を制御することを特徴とする。
【００３１】
本願第９発明の記録装置は、照射手段による照射中に流動手段が気体流動による冷却を行う。流動手段を冷却機構と兼用することで、装置構成を簡素化できる。
【００３２】
第１０発明の記録装置は、上記第８又は第９発明において、前記流動制御手段は、一次制御手段の制御に基づき、若しくは、第１制御手段の制御に基づき、前記吐出手段が吐出したインクが、当該吐出手段から遠ざかる方向に気体を流動するように、前記流動手段を制御することを特徴とする。
【００３３】
本願第１０発明の記録装置は、吐出手段による吐出中に、流動手段がインクを吐出手段から遠ざける気体流動を行う。吐出手段へのインク付着を防止する機構と流動手段とを兼用することで、装置構成を簡素化できる。
【００３４】
第１１発明の記録装置は、上記第７乃至第１０発明のいずれかにおいて、前記流動制御手段は、三次制御手段の制御に基づく、若しくは、第３制御手段の制御に基づく、前記照射手段の紫外線の照射量が小さいほど弱い気流を生じるように、前記流動手段を制御することを特徴とする。
【００３５】
硬化の程度が低くまだ柔らかい外表面のインクに強い気流が当たり、その外表面の固体要素がインクの内部に不用意に沈むのを防止することができる。
【００３６】
第１２発明の記録装置は、上記第１乃至第１１発明のいずれかにおいて、一次制御手段の制御に基づく、若しくは、第１制御手段の制御に基づく、前記照射手段の紫外線の照射によって硬化されたインクの外表面に対して移動可能な状態の前記固体要素を除去する除去手段と、二次制御手段の制御実行後で三次制御手段の制御に基づく紫外線の照射の完了前に、若しくは、第２制御手段の制御実行後で第３制御手段の制御に基づく紫外線の照射の完了前に、前記固体要素の除去を実行するよう前記除去手段を制御する除去制御手段とを有することを特徴とする。
【００３７】
過剰な固体要素を除去することで固体要素による紫外線の遮断を防ぎ、インクを効率的に硬化することができる。除去手段の例としては、静電気を用いた固体要素の吸着除去や、振動による固体要素の回収等がある。
【００３８】
第１３発明の記録装置は、上記第１乃至第１２発明のいずれかにおいて、前記載置手段と前記照射手段とを相対的に移動させる移動手段と、三次制御手段の制御に基づく、若しくは、第３制御手段の制御に基づく、照射手段による紫外線の照射時において、前記載置手段と前記照射手段とを相対的に移動させるよう、前記移動手段を制御する移動制御手段とを有することを特徴とする。
【００３９】
本願第１３発明では、載置手段に載った被記録媒体と照射手段とが相対移動することにより、照射手段は紫外線を種々の角度でインクに照射することができる。固体要素がインクの外表面に位置する場合であっても、当該固体要素に遮られない角度から固体要素の裏側のインク部分に対し確実に照射を行うことができ、インクを効率的に硬化することができる。
【００４０】
第１４発明の記録装置は、上記第１乃至第１３発明のいずれかにおいて、一次制御手段の制御に基づく、若しくは、第１制御手段の制御に基づく、照射手段による紫外線の照射によるインクの硬化段階を設定する硬化度設定手段を有し、一次制御手段若しくは第１制御手段は、前記硬化度設定手段の設定に対応した照射量の紫外線の照射を行うように、前記照射手段を制御することを特徴とする。
【００４１】
インクの種類、使用環境、固体要素の種類、記憶媒体の種類、等によって、同一の照射量であってもインクの硬化段階は一定ではない。硬化段階がどの程度であるかにより、固体要素のインクへの密着度や完全硬化するまでの時間が長短する。本願第１４発明においては、硬化度設定手段を設けることで、上記の種々のバリエーションに対応した形で、インクの硬化段階を操作者の所望の段階に確実に設定することができる。
【００４２】
第１５発明の記録装置は、上記第１乃至第１４発明のいずれかにおいて、前記インクは経時的に硬化するものであって、前記被記録媒体のインクの外表面の粘着性に関連した時点情報又は期間情報を取得する時間情報取得手段を有し、三次制御手段若しくは第３制御手段は、前記時間情報取得手段が取得した前記時点情報又は前記期間情報に対応した粘着性を実現する照射量となるように、前記照射手段を制御することを特徴とする。
【００４３】
操作者が最終的に得たいインクの硬化段階を、操作者の所望のタイミングで確実に得ることができる。
【００４４】
第１６発明の記録装置は、上記第１乃至第１５発明のいずれかにおいて、前記吐出手段は、エポキシ化合物、オキセタン加工物、及びビニルエーテル加工物のうち少なくとも１つと、重合開始剤、増感剤を含む、カチオン系の前記インクを吐出することを特徴とする。
【００４５】
カチオン系のインクを用い、紫外線を照射することで、インクの粘着性を外表面から喪失させ、インクを経時的に硬化させることができる。
【００４６】
第１７発明の記録装置は、上記第１乃至第１６発明のいずれかにおいて、三次制御手段若しくは第３制御手段は、前記所定の硬化段階としての、ＪＩＳ  Ｚ３２８４に準拠したタッキング試験機による評価においてインクの引張荷重が０となる段階、を超えるまで前記紫外線を照射するように、前記照射手段を制御することを特徴とする。
【００４７】
本願第１７発明においては、三次制御手段若しくは第３制御手段の制御に基づく照射手段の照射により、十分なインクの硬化状態を得ることができる。
【００４８】
第１８発明の記録装置は、上記第１乃至第１７発明のいずれかにおいて、一次制御手段若しくは第１制御手段は、ＪＩＳ  Ｚ３２８４に準拠したタッキング試験機による評価においてインクの引張荷重が０となるときの照射量の最小値の０．０５倍〜０．９５倍の範囲の照射量を照射するように、前記照射手段を制御することを特徴とする。
【００４９】
本願第１８発明においては、一次制御手段若しくは第１制御手段の制御に基づく照射手段の照射により、粘着性を確実に残しているインクの硬化状態を得ることができる。
【００５０】
第１９発明の記録装置は、上記第１乃至第１８発明のいずれかにおいて、前記固体要素は、セラミック、樹脂、金属のいずれかから成り、粒状、フィルム、粉体、及び繊維のうち、少なくとも１つの形状で構成されていることを特徴とする。
【００５１】
各種材料により構成された固体要素を用いて装飾を行い、装飾性を向上することができる。
【００５２】
上記目的を達成するために、第２０発明の記録装置の制御プログラムは、被記録媒体を載置可能な載置手段と、紫外線の照射を契機に粘着性を生じながら硬化が進行し、所定の硬化段階までは外表面に粘着性を有するインクを吐出するノズルを備えた吐出手段と、紫外線を照射する照射手段と、前記載置手段を移動させる駆動手段と、を有する記録装置に備えられた制御手段に対し、前記載置手段が載置した前記被記録媒体の外表面に前記インクを吐出し、前記被記録媒体に付着した前記インクに対し所定の第１照射量の紫外線の照射を行うように、前記吐出手段及び前記照射手段を制御する一括制御手順と、前記一括制御手順の代わりに、前記載置手段が載置した前記被記録媒体の外表面に前記インクを吐出し、前記被記録媒体に付着した前記インクに対し前記第１照射量よりも少ない第２照射量の紫外線の照射を行うように、前記吐出手段及び前記照射手段を制御する一次手順と、前記一次手順で実行した前記インクの吐出及び前記紫外線の照射の後、当該吐出及び照射が可能な処理領域から、操作者が前記付着した前記インクに対し、前記ノズルの径よりも大きな固体要素の散布作業を実行可能な作業領域へ、前記載置手段を移動させるように、前記駆動手段を制御する二次手順と、前記二次手順で実行した前記載置手段の前記作業領域への移動の後、前記載置手段を前記作業領域から前記処理領域へ移動させ、前記被記録媒体のインクの外表面の少なくとも一部に、前記所定の硬化段階を超えるまで、前記紫外線を照射するように、前記駆動手段及び前記照射手段を制御する三次手順とを実行させる。
【００５３】
本願第２０発明の制御プログラムの対象となる記録装置は、載置手段と、吐出手段とを有する。吐出手段は、載置手段が載置した被記録媒体に対しインクの吐出を行い、印刷による記録を行う。制御手段が制御プログラムの一括制御手順を実行すると、照射手段は、被記録媒体に付着したインクに対し、所定の第１照射量の紫外線を照射する。
【００５４】
制御手段が制御プログラムの一括制御手順の代わりに一次手順を実行すると、照射手段は、被記録媒体に付着したインクに対し、一括制御手順の実行時よりも少ない第２照射量の紫外線を照射する。吐出手段が吐出したインクは、照射手段による紫外線の照射を契機に硬化するインクである。インクは、所定の硬化段階までは外表面に粘着性を有する。
【００５５】
インクの吐出、及び、紫外線の照射の後、制御手段が制御プログラムの二次手順を実行すると、駆動手段が、処理領域から作業領域へ載置手段を移動させる。操作者は、移動した載置手段に載った被記録媒体に付着した、粘着性を備えている状態のインクに対し、ノズルの径よりも大きな固体要素の散布作業を実行することができる。
【００５６】
載置手段の作業領域への移動及び上記散布作業の後、制御手段が制御プログラムの三次手順を実行すると、駆動手段は、作業領域から処理領域へ再び載置手段を移動させる。照射手段は、移動した載置手段に載せた被記録媒体のインクの外表面の少なくとも一部に対し、再度紫外線を照射し、固体要素を散布したインクを上記所定の硬化段階を超えるまで硬化させる。
【００５７】
本願第２０発明の制御プログラムを実行する制御手段が制御する記録装置によれば、紫外線の照射により硬化進行中で粘着性を備えているインクに対し、操作者が固体要素を散布して定着させた後、さらに紫外線を照射して硬化させることができる。インクの種類や色合いだけで装飾を図る従来手法と異なり、インク以外の材料により装飾を行えるので、装飾性を向上することができる。
【００５８】
上記目的を達成するために、第２１発明の記録装置の制御プログラムは、被記録媒体を載置可能な載置手段と、紫外線の照射を契機に粘着性を生じながら硬化が進行し、所定の硬化段階までは外表面に粘着性を有するインクを吐出するノズルを備えた吐出手段と、紫外線を照射する照射手段と、前記ノズルの径よりも大きな固体要素の散布を行う散布手段と、を有する記録装置に備えられた制御手段に対し、前記載置手段が載置した前記被記録媒体の外表面に前記インクを吐出し、前記被記録媒体に付着した前記インクに対し、前記所定の硬化段階となる照射量よりも小さい照射量の紫外線の照射を行うように、前記吐出手段及び前記照射手段を制御する第１手順と、前記第１制御手順で実行した前記インクの吐出及び前記紫外線の照射の後、前記付着した前記インクに対し、前記固体要素の散布を行うように、前記散布手段を制御する第２手順と、前記第２手順で実行した前記散布の後、前記被記録媒体のインクの外表面の少なくとも一部に、前記所定の硬化段階を超えるまで、前記紫外線を照射するように、前記照射手段を制御する第３手順とを実行させる。
【００５９】
本願第２１発明の制御プログラムの対象となる記録装置は、載置手段と、吐出手段とを有する。吐出手段は、載置手段が載置した被記録媒体に対しインクの吐出を行い、印刷による記録を行う。吐出手段が吐出したインクは、照射手段による紫外線の照射を契機に硬化するインクである。インクは、所定の硬化段階までは外表面に粘着性を有する。制御手段が制御プログラムの第１手順を実行すると、照射手段は、被記録媒体に付着したインクに対し、上記所定の硬化段階となる照射量よりも小さい照射量の紫外線を照射する。
【００６０】
インクの吐出、及び、紫外線の照射の後、制御手段が制御プログラムの第２手順を実行すると、散布手段が、載置手段に載った被記録媒体に付着した、粘着性を備えている状態のインクに対し、ノズルの径よりも大きな固体要素の散布を自動的に行う。
【００６１】
上記散布の後、制御手段が制御プログラムの第３手順を実行すると、照射手段は、載置手段に載せた被記録媒体のインクの外表面の少なくとも一部に対し、再度紫外線を照射し、固体要素を散布したインクを上記所定の硬化段階を超えるまで硬化させる。
【００６２】
本願第２１発明の制御プログラムを実行する制御手段が制御する記録装置によれば、紫外線の照射により硬化進行中で粘着性を備えているインクに対し、自動的に固体要素を散布して定着させた後、さらに紫外線を照射して硬化させることができる。インクの種類や色合いだけで装飾を図る従来手法と異なり、インク以外の材料により装飾を行えるので、装飾性を向上することができる。
【００６３】
上記目的を達成するために、第２２発明の記録方法は、紫外線の照射を契機に粘着性を生じながら硬化が進行し所定の硬化段階までは外表面に粘着性を有するインクを、被記録媒体の外表面に対しノズルから吐出するとともに、前記被記録媒体に付着した前記インクに対し、前記所定の硬化段階となる照射量よりも小さい照射量の紫外線の照射を行う、第１ステップと、前記第１ステップでの前記インクの吐出及び前記紫外線の照射の後、前記付着した前記インクに対し、前記ノズルの径よりも大きな固体要素の散布を行う第２ステップと、前記第２ステップでの前記散布の後、前記被記録媒体のインクの外表面の少なくとも一部に、前記所定の硬化段階を超えるまで、前記紫外線を照射する、第３ステップとを有する。
【００６４】
本願第２２発明の記録方法では、第１ステップで、ノズルから被記録媒体に対しインクの吐出を行い、印刷による記録を行う。吐出したインクは、紫外線の照射を契機に硬化するインクである。インクは、所定の硬化段階までは外表面に粘着性を有する。第１ステップでは、被記録媒体に付着したインクに対し、上記所定の硬化段階となる照射量よりも小さい照射量の紫外線を照射する。
【００６５】
第１ステップでのインクの吐出、及び、紫外線の照射の後、第２ステップで、被記録媒体に付着した、粘着性を備えている状態のインクに対し、ノズルの径よりも大きな固体要素の散布を行う。
【００６６】
第２ステップでの上記散布の後、第３ステップで、被記録媒体のインクの外表面の少なくとも一部に対し、再度紫外線を照射し、固体要素を散布したインクを上記所定の硬化段階を超えるまで硬化させる。
【００６７】
本願第２２発明の記録方法によれば、紫外線の照射により硬化進行中で粘着性を備えているインクに対し、固体要素を散布して定着させた後、さらに紫外線を照射して硬化させることができる。インクの種類や色合いだけで装飾を図る従来手法と異なり、インク以外の材料により装飾を行えるので、装飾性を向上することができる。
【発明の効果】
【００６８】
本発明によれば、インク以外の材料により装飾を行えるので、装飾性を向上することができる。
【図面の簡単な説明】
【００６９】
【図１】本発明の一実施形態であるインクジェット記録装置の全体の概略構成を示す平面図及び正面図である。
【図２】インクジェット記録装置の要部の構成を示す斜視図である。
【図３】図２中ＩＩＩ−ＩＩＩ断面によるキャリッジの側断面図である。
【図４】図２中ＩＶ−ＩＶ断面によるキャリッジの側断面図である。
【図５】インクジェット記録装置の制御系統の機能構成を示すブロック図である。
【図６】ＣＰＵが実行する制御内容を表すフローチャートである。
【図７】ステップＳ１００の各印刷モード動作処理の詳細内容を表すフローチャートである。
【図８】ステップＳ２００の印刷処理の詳細内容を表すフローチャートである。
【図９】各種印刷設定を含むデータテーブルの一例を表す図である。
【図１０】装飾材を自動散布する変形例における各印刷モード動作処理の詳細内容を表すフローチャートである。
【図１１】気流により余分な装飾材を除去する変形例における各印刷モード動作処理の詳細内容を表すフローチャートである。
【図１２】ブロアファン以外の装飾材除去手段を用いた変形例における各印刷モード動作処理の詳細内容を表すフローチャートである。
【図１３】半硬化状態のインク層の装飾材が付着している状態を示す図である。
【発明を実施するための形態】
【００７０】
以下、本発明の一実施の形態を図面を参照しつつ説明する。
【００７１】
図１（ａ）は本発明の記録装置の一実施形態であるインクジェット記録装置１００の全体の概略構成を示す平面図であり、図１（ｂ）はその正面図である。図１（ａ）及び図１（ｂ）に示すように、インクジェット記録装置１００は、インクを吐出する印刷ヘッド１０１（吐出手段）と、印刷ヘッド１０１を搭載するキャリッジ１０２と、キャリッジ１０２をＸ軸方向にガイドするＸ軸ガイドバー１０３と、キャリッジ１０２をＸ軸ガイドバー１０３に沿って駆動するＸ軸モータ１１１とを備えている。またインクジェット記録装置１００は、紙や布等の被印刷媒体１０４（被記録媒体）を載置可能な載置テーブル１０５（載置手段）と、載置テーブル１０５をＹ軸方向に駆動するＹ軸モータ１０８（駆動手段）と、Ｙ軸モータ１０８の回転軸に連結し、載置テーブル１０５の下面の軸受１１２と螺合するボールネジ１０９と、載置テーブル１０５をＹ軸方向にガイドするガイドレール１１０と、ガイドレール１１０を支持すると共に、内蔵したＺ軸モータ（図示せず）により載置テーブル１０５をＺ軸方向に駆動可能な上下駆動機構１１３とを備えている。またインクジェット記録装置１００は、インクを収納したインクタンク１０６と、インクタンク１０６から印刷ヘッド１０１へインクを供給するための遮光性のインクチューブ１０７とを備えている。
【００７２】
載置テーブル１０５は、被印刷媒体１０４をエア吸着によって上面に固定した状態で載置可能である。図１に示す例では、載置テーブル１０５は２つの被印刷媒体１０４をＸ軸方向に並列して載置している。載置テーブル１０５は、Ｘ軸方向における左右両側端部に、印刷ヘッド１０１をフラッシングする際にインクを噴出するためのフラッシング穴１１４を有している。また、インクタンク１０６が収納するインクは、紫外線の照射を契機に粘着性を生じながら硬化が進行し、所定の硬化段階までは外表面に粘着性を有するＵＶインクであり、例えば、エポキシ化合物、オキセタン加工物、及びビニルエーテル加工物のうち少なくとも１つと、重合開始剤、増感剤等を含む、カチオン系のインクである。このため、本実施形態のインクにおいては、紫外線の照射を契機に経時的にその外表面に関する粘着性の喪失が進行する。印刷ヘッド１０１は当該インクを被印刷媒体１０４に対して吐出する。
【００７３】
図２は、インクジェット記録装置１００の要部の構成を示す斜視図である。また図３は、図２中ＩＩＩ−ＩＩＩ断面によるキャリッジ１０２の側断面図であり、図４は、図２中ＩＶ−ＩＶ断面によるキャリッジ１０２の側断面図である。
【００７４】
図２乃至図４に示すように、キャリッジ１０２は、側断面が略Ｌ字型形状を有するアルミ合金等からなる熱伝導性部材である。キャリッジ１０２は、水平部１０２ａの前側（図２及び図３中左側）端部付近に印刷ヘッド１０１を搭載している。印刷ヘッド１０１は、イエロー、マゼンタ、シアン、ブラックのインクを吐出する印刷ヘッド１０１Ｙ，１０１Ｍ，１０１Ｃ，１０１Ｋの他、透明インクを吐出する印刷ヘッド１０１Ｔ及び白インクを吐出する印刷ヘッド１０１Ｗを有している。またキャリッジ１０２は、印刷ヘッド１０１のＸ軸方向における左右両側に、紫外線を照射するＵＶ照射装置１２１（照射手段）を印刷ヘッド１０１を挟むように搭載している。ＵＶ照射装置１２１は、被印刷媒体１０４と対向する下面に、Ｘ軸方向及びＹ軸方向に沿って格子状に配列した複数のＵＶ−ＬＥＤ１２１ａを有している。
【００７５】
キャリッジ１０２は、印刷ヘッド１０１及びＵＶ照射装置１２１を包み込むように、前面側にダクトカバー１２２を装着している。このダクトカバー１２２とキャリッジ１０２とが、印刷ヘッド１０１、ＵＶ照射装置１２１及びインクチューブ１０７を取り囲むチャンバー１２３を形成している。
【００７６】
キャリッジ１０２は、ダクトカバー１２２の中央上部にブロアファン１２７を有している。ブロアファン１２７は、図３及び図４中の直線矢印に示すように、チャンバー１２３内において気体の流動を引き起こす。ブロアファン１２７による気流は、印刷ヘッド１０１の背面に設けた熱交換用フィン１２８及びＵＶ照射装置１２１の上面に設けた熱交換用フィン１３３を介して印刷ヘッド１０１及びＵＶ照射装置１２１を冷却し、水平部１０２ａの後側（図２及び図３中右側）に設けた噴出口１３４から被印刷媒体１０４に向かって流出する。
【００７７】
印刷ヘッド１０１は、インク吐出口付近にヒータ１２９を備えている。ヒータ１２９は、印刷ヘッド１０１のインク吐出口付近を加熱することにより、吐出口付近のインクの粘度を吐出に最適な粘度とする。また印刷ヘッド１０１は、ヘッドの温度を検出するサーミスタ１３１を有している。ＵＶ照射装置１２１も同様に、装置の温度を検出するサーミスタ１３５を有している。これらのサーミスタ１３１，１３５は、印刷ヘッド１３１及びＵＶ照射装置１２１の温度を検出し、後述するＣＰＵ３０１に出力する。ＣＰＵ３０１は、この検出結果に基づいてブロアファン１２７の駆動を制御し、印刷ヘッド１０１及びＵＶ照射装置１２１を中心とするチャンバー１２３内の温度制御を行う。さらに、キャリッジ１０２は、水平部１０２ａの後端部に立設した垂直部１０２ｂに、補助ヒータ１３２を有している。補助ヒータ１３２は、チャンバー１２３内の温度制御を行う際の補助的役割を果たす。
【００７８】
なお、上記Ｙ軸モータ１０８が載置テーブル１０５を移動させつつ、Ｘ軸モータ１１１がキャリッジ１０２と共にＵＶ照射装置１２１を移動させることで、載置テーブル１０５とＵＶ照射装置１２１とを相対的に移動させることができる。したがって、これらＹ軸モータ１０８及びＸ軸モータ１１１が、特許請求の範囲に記載の移動手段を構成する。
【００７９】
図５は、インクジェット記録装置１００の制御系統の機能構成を示すブロック図である。図５に示すように、インクジェット記録装置１００の制御系統は、主として、ＣＰＵ３０１と、ＲＯＭ３０２と、ＥＥＰＲＯＭ３０２ａと、ＲＡＭ３０３と、入力インターフェース３０４と、出力インターフェース３０５とを備えている。出力インターフェース３０５は、印刷ヘッド１０１を駆動する印刷ヘッド回路３０６と、Ｘ軸モータ１１１を駆動するＸ軸モータ駆動回路３０７と、Ｙ軸モータ１０８を駆動するＹ軸モータ駆動回路３０８と、上下駆動機構１１３のＺ軸モータを駆動するＺ軸モータ駆動回路３０９と、ＵＶ照射装置１２１を駆動するＵＶ装置駆動回路３１０と、ブロアファン１２７を駆動するブロアファン駆動回路３１１と、ヒータ１２９を駆動するヒータ駆動回路３１２と、補助ヒータ１３２を駆動する補助ヒータ駆動回路３１３と、後述するＰＣ３２０が備える液晶ディスプレイであるＬＣＤ３２１とに接続する。また、入力インターフェース３０４は、印刷開始指令や印刷データ等の入力を行うためのＰＣ（パーソナルコンピュータ）３２０と、上述したサーミスタ１３１，１３５とに接続する。
【００８０】
ＲＯＭ３０２は、各種の制御プログラム等を記憶する。ＣＰＵ３０１（制御手段）は、ＲＡＭ３０３の一時記憶機能を利用しつつ、ＲＯＭ３０２に記憶した上記制御プログラムに従って信号処理を行うことにより、後述する図６乃至図８等のフローチャートに示す制御内容を実行する。
【００８１】
図６は、ＣＰＵ３０１が実行する制御内容を表すフローチャートである。図６に示すように、ステップＳ１０では、ＣＰＵ３０１は印刷前処理を行う。印刷前処理は、操作者がＰＣ３２０の図示しないキーボードやマウス等の操作手段を介して行う印刷画像の選択や画像の配置・編集、印刷モードの選択、各種印刷設定の変更等の操作信号を入力し、当該操作信号に基づいて行う印刷の前処理である。なお、上記印刷モードは、被印刷媒体１０４の種類や印刷層の構成、インクの色・量や紫外線照射量等の各種印刷設定に応じて予め定まっており、ＲＡＭ３０３が所定の記憶エリアにデータテーブルとして記憶している（後述の図９及び図１０参照）。操作者はこれら複数の印刷モードの中から所望の印刷モードを選択することで、当該印刷モードに対応する印刷設定で印刷を行うことができる。印刷モードの詳細については後述する。なお、上記照射量とは、インクジェット記録装置１００で１つの印刷対象を完成するまでに、その印刷対象を構成するインクが受ける照射量、すなわち１つの印刷対象が完成するまでに累積して照射された紫外線の量である。
【００８２】
次のステップＳ２０では、ＣＰＵ３０１は、印刷を開始するか否かを判定する。ＣＰＵ３０１は、この判定をＰＣ３２０より印刷開始指令を入力したか否かを検出することにより行う。ＰＣ３２０より印刷開始指令を入力していない場合には（ステップＳ２０でＮＯ）、ステップＳ１０に戻る。一方、ＰＣ３２０より印刷開始指令を入力した場合には（ステップＳ２０でＹＥＳ）、ステップＳ１００に移行する。
【００８３】
ステップＳ１００では、ＣＰＵ３０１は、上記ステップＳ１０で設定した各種印刷設定に従って被印刷媒体１０４に対し印刷を実行する各印刷モード動作処理を実行する（詳細内容は後述の図７参照）。
【００８４】
ステップＳ３０では、ＣＰＵ３０１は、操作者がインクジェット記録装置１００の電源のＯＦＦ操作を行ったか否かを判定する。操作者が電源ＯＦＦ操作を行っていない場合には（ステップＳ３０でＮＯ）、先のステップＳ１０に戻り、上述と同様の処理を繰り返す。一方、操作者が電源のＯＦＦ操作を行った場合には（ステップＳ３０でＹＥＳ）、ステップＳ４０に移行し、ＣＰＵ３０１はインクジェット記録装置１００の終了処理を実行する。終了処理は、例えば起動中のＯＳやアプリケーションのシャットダウン等である。以上により、本フローチャートを終了する。
【００８５】
上記において、ステップＳ１０が特許請求の範囲に記載のモード設定手段として機能する。
【００８６】
図７は、上記ステップＳ１００の各印刷モード動作処理の詳細内容を表すフローチャートである。図７に示すように、ステップＳ１０５では、ＣＰＵ３０１は初期印刷を行うか否かを判定する。初期印刷は、被印刷媒体１０４の表面に対し最初に行う印刷処理である。ＣＰＵ３０１は、前述したステップＳ１０の印刷前処理で設定した印刷モードに基づき、対応する初期印刷の完了回数（初期印刷を行う設定回数）に関わる情報をＲＡＭ３０３の所定の記憶エリア（以下、完了回数記憶エリアと記載する）から読み出し、当該初期印刷の完了回数が０より大きいか否かを判定する。初期印刷の完了回数が０である場合には（ステップＳ１０５でＮＯ）、初期印刷を行わないとみなし、後述のステップＳ１１５に直接移行する。一方、初期印刷の完了回数が０より大きい場合には（ステップＳ１０５でＹＥＳ）、初期印刷を行うとみなし、次のステップＳ１１０に移行する。
【００８７】
ステップＳ１１０では、ＣＰＵ３０１は、初期印刷に関わる各種設定を行う。具体的には、ＣＰＵ３０１は、前述したステップＳ１０の印刷前処理で設定した印刷モードに基づき、対応する初期印刷の色設定、インク量、紫外線照射量及び完了回数等をＲＡＭ３０３の所定の記憶エリアから読み出し、印刷モードに対応する印刷設定を行う。
【００８８】
ステップＳ２００では、ＣＰＵ３０１は、被印刷媒体１０４を載置した載置テーブル１０５を印刷ヘッド１０１によるインクの吐出及びＵＶ照射装置１２１による紫外線照射が可能な処理領域（図１に示す領域）に移動させ、上記ステップＳ１１０で設定した印刷設定に基づいた初期印刷を、設定した完了回数だけ行う印刷処理を実行する（詳細内容は後述の図８参照）。
【００８９】
ステップＳ１１５では、ＣＰＵ３０１は、中期印刷を行うか否かを判定する。中期印刷は、上記初期印刷により被印刷媒体１０４上に形成したインク層の表面に対し、あるいは初期印刷を行わなかった場合（初期印刷の完了回数が０だった場合）には被印刷媒体１０４の表面に対し行う印刷処理である。ＣＰＵ３０１は、前述したステップＳ１０の印刷前処理で設定した印刷モードに基づき、対応する中期印刷の完了回数に関わる情報をＲＡＭ３０３の上記完了回数記憶エリアから読み出し、当該中期印刷の完了回数が０より大きいか否かを判定する。中期印刷の完了回数が０である場合には（ステップＳ１１５でＮＯ）、中期印刷を行わないとみなし、後述のステップＳ１２５に直接移行する。一方、中期印刷の完了回数が０より大きい場合には（ステップＳ１１５でＹＥＳ）、中期印刷を行うとみなし、次のステップＳ１２０に移行する。
【００９０】
ステップＳ１２０では、ＣＰＵ３０１は、上記ステップＳ１１０と同様にして中期印刷に関わる各種印刷設定を行う。
【００９１】
ステップＳ２００では、ＣＰＵ３０１は、上記ステップＳ１２０で設定した印刷設定に基づいた中期印刷を、設定した完了回数だけ行う印刷処理を実行する（詳細内容は後述の図８参照）。
【００９２】
ステップＳ１２５では、ＣＰＵ３０１は、後期印刷を行うか否かを判定する。後期印刷は、上記中期印刷により被印刷媒体１０４上に形成したインク層の表面に対し、あるいは中期印刷を行わなかった場合（中期印刷の完了回数が０だった場合）には初期印刷で形成したインク層の表面若しくは被印刷媒体１０４の表面に対し行う印刷処理である。ＣＰＵ３０１は、前述したステップＳ１０の印刷前処理で設定した印刷モードに基づき、対応する後期印刷の完了回数に関わる情報をＲＡＭ３０３の上記完了回数記憶エリアから読み出し、当該後期印刷の完了回数が０より大きいか否かを判定する。後期印刷の完了回数が０である場合には（ステップＳ１２５でＮＯ）、後期印刷を行わないとみなし、後述のステップＳ１３５に直接移行する。一方、後期印刷の完了回数が０より大きい場合には（ステップＳ１２５でＹＥＳ）、後期印刷を行うとみなし、次のステップＳ１３０に移行する。
【００９３】
ステップＳ１３０では、ＣＰＵ３０１は、上記ステップＳ１１０と同様にして後期印刷に関わる各種印刷設定を行う。
【００９４】
ステップＳ２００では、ＣＰＵ３０１は、上記ステップＳ１３０で設定した印刷設定に基づいた後期印刷を、設定した完了回数だけ行う印刷処理を実行する（詳細内容は後述の図８参照）。
【００９５】
ステップＳ１３５では、ＣＰＵ３０１は、操作者による手作業があるか否かを判定する。ここでいう手作業は、印刷途中の被印刷媒体１０４の所定部分に付着したインクに対してインク以外の材料により装飾を行う作業であり、例えばラメ等の装飾材の散布である。ＣＰＵ３０１は、前述したステップＳ１０の印刷前処理で設定した印刷モードに基づき、対応する手作業の有無に関わる情報をＲＡＭ３０３の所定の記憶エリア（以下、手作業有無記憶エリアと記載する）から読み出し、手作業の有無を判定する。手作業がない場合には（ステップＳ１３５でＮＯ）、後述のステップＳ１６０に直接移行する。一方、手作業がある場合には（ステップＳ１３５でＹＥＳ）、次のステップＳ１４０に移行する。
【００９６】
ステップＳ１４０では、ＣＰＵ３０１は、出力インターフェース３０５を介してＬＣＤ３２１に表示信号を出力し、各種情報の表示を行う。各種情報は、例えば後述するステップＳ１６５及びステップＳ２００による仕上げ処理に関する情報である。具体的には、この後のステップＳ１６５及びステップＳ２００における仕上げ処理を何時何分から開始し、どのくらいの照射量で行うかといった情報の表示を行う。
【００９７】
ステップＳ１４５では、ＣＰＵ３０１は、印刷ヘッド１０１がフラッシングやパージ等のメンテナンス処理を必要とする状態であるか否かを判定し、必要な状態である場合には、当該メンテナンス処理を実行する。フラッシングは、印刷ヘッド１０１のインクを前述したフラッシング穴１１４内に一斉噴射することによってノズル面に発生した詰まりを除去する処理である。またパージは、図示しない吸引ポンプを用いて印刷ヘッド１０１のノズル面からインクを吸引する処理である。操作者が手作業を行う際にこのようなメンテナンス処理を実行することにより、印刷を行っていない時間を有効活用することができる。
【００９８】
ステップＳ１５０では、ＣＰＵ３０１は、出力インターフェース３０５を介してＹ軸モータ駆動回路３０８に駆動信号を出力してＹ軸モータ１０８及びボールネジ１０９を駆動させ、載置テーブル１０５をＹ軸方向に沿って移動させつつ上述した処理領域から作業位置に移動させる。載置テーブル１０５が当該作業位置に位置する際には、被印刷媒体１０４の上面がインクジェット記録装置１００の前方側（図１（ａ）中下側）に露出し、操作者が被印刷媒体１０４の所定部分に付着したインクに対し上述した装飾材の散布作業を実行することが可能となる。この作業位置が特許請求の範囲に記載の作業領域に相当する。なお、ここでは操作者が手作業で装飾材を散布するので、例えば装飾材を含有させたインクを用いる場合と異なり、印刷ヘッド１０１のノズルの径よりも大きな装飾材について散布することが可能である。但し、ノズルの径よりも小さな装飾材を散布してもよいのは言うまでもない。
【００９９】
なお、前述したようにインクジェット記録装置１００においては、印刷ヘッド１０１と載置テーブル１０５とが独立して移動することが可能な構成となっている。このため、ＣＰＵ３０１は、上記ステップＳ１４５のメンテナンス処理と上記ステップＳ１５０の作業位置移動処理とを同時並行して行う。これにより、動作時間を短縮し、処理効率を向上することができる。
【０１００】
ステップＳ１５５では、ＣＰＵ３０１は、操作者による手作業が完了したか否かを判定する。ＣＰＵ３０１は、この判定を、操作者がＰＣ３２０の上記操作手段を介して作業完了信号を入力したか否かを検出することにより行う。作業完了信号を検出しない場合には（ステップＳ１５５でＮＯ）本ステップを繰り返し、作業完了信号を検出した場合には（ステップＳ１５５でＹＥＳ）、次のステップＳ１６０に移行する。
【０１０１】
ステップＳ１６０では、ＣＰＵ３０１は、印刷の仕上げを行うか否かを判定する。仕上げは、初期印刷、中期印刷及び後期印刷が終了し、操作者による手作業が行われた被印刷媒体１０４に対し、紫外線照射及び必要に応じて印刷を施すことで、一連の印刷処理の仕上げを行う処理である。ＣＰＵ３０１は、前述したステップＳ１０の印刷前処理で設定した印刷モードに基づき、対応する仕上げの完了回数に関わる情報をＲＡＭ３０３の上記完了回数記憶エリアから読み出し、当該仕上げの完了回数が０より大きいか否かを判定する。仕上げの完了回数が０である場合には（ステップＳ１６０でＮＯ）、仕上げを行わないとみなし、後述のステップＳ１７０に直接移行する。一方、仕上げの完了回数が０より大きい場合には（ステップＳ１６０でＹＥＳ）、仕上げを行うとみなし、次のステップＳ１６５に移行する。
【０１０２】
ステップＳ１６５では、ＣＰＵ３０１は、上記ステップＳ１１０と同様にして仕上げ制御に関わる各種設定を行う。
【０１０３】
ステップＳ２００では、ＣＰＵ３０１は、上記ステップＳ１６５で設定した制御設定に基づいた仕上げを、設定した完了回数だけ行う印刷処理を実行する（詳細内容は後述の図８参照）。
【０１０４】
ステップＳ１７０では、ＣＰＵ３０１は、上記ステップＳ１５０と同様に、出力インターフェース３０５を介してＹ軸モータ駆動回路３０８に駆動信号を出力し、載置テーブル１０５をＹ軸方向に沿って移動させつつ上述した処理領域から排出位置に移動させる。載置テーブル１０５が当該排出位置に位置する際には、操作者は載置テーブル１０５から被印刷媒体１０４を取り外すことができる。この排出位置は特許請求の範囲に記載の取外領域に相当する。以上により、本サブルーチンを終了する。
【０１０５】
なお、操作者が上記装飾材の散布作業を実行可能な上記作業位置と、載置テーブル１０５から被印刷媒体１０４を取り外すことが可能な上記排出位置とは、同じ位置としてもよいし異なる位置としてもよい。作業位置と排出位置を同じ位置とした場合には、例えば何らかの不具合（作業の失敗や印刷の失敗）が生じた際に、操作者は迅速に被印刷媒体１０４を載置テーブル１０５から取り外すことができる。一方、作業位置と排出位置を異なる位置とする場合には、例えば排出位置を作業位置よりも装置内側とすることで、作業位置が排出位置よりも装置外側となるため、載置テーブル１０５が作業位置に移動した際に、操作者が印刷完了と間違って被印刷媒体１０４を載置テーブル１０５から取り外してしまうことを防止できる。また、作業位置が装置外側に位置するため、操作者が装飾材の散布作業をし易くなるという効果もある。
【０１０６】
上記において、ステップＳ１０の印刷前処理で設定した印刷モードが後述の図９に示す印刷モード「１」〜「６」である場合には、ステップＳ１１０及びステップＳ２００、ステップＳ１２０及びステップＳ２００、並びに、ステップＳ１３０及びステップＳ２００においては、ＣＰＵ３０１は、載置テーブル１０５が載置した被印刷媒体１０４の外表面にインクを吐出し、被印刷媒体１０４に付着したインクに対し所定の第１照射量（図９に示す例では１００％）の紫外線の照射を行うように、印刷ヘッド１０１及びＵＶ照射装置１２１を制御することになる。これらの手順が特許請求の範囲に記載の一括制御手段として機能すると共に、一括制御手順に相当する。
【０１０７】
また、ステップＳ１０の印刷前処理で設定した印刷モードが後述の図９に示す印刷モード「７」〜「１２」である場合には、上記ステップＳ１１０及びステップＳ２００、ステップＳ１２０及びステップＳ２００、並びに、ステップＳ１３０及びステップＳ２００においては、ＣＰＵ３０１は、載置テーブル１０５が載置した被印刷媒体１０４の外表面にインクを吐出し、被印刷媒体１０４に付着したインクに対し第１照射量よりも少ない第２照射量（図９に示す例では５０％）の紫外線の照射を行うように、印刷ヘッド１０１及びＵＶ照射装置１２１を制御することになる。これらの手順が特許請求の範囲に記載の一次制御手段として機能すると共に、一次手順及び第１ステップに相当する。
【０１０８】
また、上記ステップＳ１５０においては、ＣＰＵ３０１は、上記ステップＳ１１０及びステップＳ２００、ステップＳ１２０及びステップＳ２００、並びに、ステップＳ１３０及びステップＳ２００により実行したインクの吐出及び紫外線の照射の後、当該吐出及び照射が可能な上記処理領域から、操作者が付着したインクに対し、印刷ヘッド１０１のノズルの径よりも大きなラメ等の装飾材の散布作業を実行可能な作業位置へ載置テーブル１０５を移動させるように、Ｙ軸モータ１０８及びボールネジ１０９の駆動を制御することになる。このステップＳ１５０の手順が、特許請求の範囲に記載の二次制御手段として機能すると共に、二次手順及び第２ステップに相当する。
【０１０９】
また、上記ステップＳ１６５及びステップＳ２００においては、ＣＰＵ３０１は、上記ステップＳ１５０により実行した載置テーブル１０５の作業位置への移動の後、載置テーブル１０５を作業位置から処理領域へ移動させ、被印刷媒体１０４のインクの外表面の少なくとも一部に、所定の硬化段階を超えるまで、紫外線を照射するように、Ｙ軸モータ１０８及びボールネジ１０９並びにＵＶ照射装置１２１を制御することになる。これらステップＳ１６５及びステップＳ２００の手順が、特許請求の範囲に記載の三次制御手段として機能すると共に、三次手順及び第３ステップに相当する。
【０１１０】
また、上述したようにＣＰＵ３０１は、上記ステップＳ１４５のメンテナンス処理と上記ステップＳ１５０の作業位置移動処理とを同時に並行して行う。このため上記ステップＳ１４５においては、ＣＰＵ３０１は、載置テーブル１０５を作業位置に移動させた状態において、印刷ヘッド１０１に対し所定のメンテナンス動作を実行させることとなるため、このステップＳ１４５が特許請求の範囲に記載のメンテナンス実行手段として機能する。また、上記ステップＳ１４０は、特許請求の範囲に記載の報知手段として機能する。
【０１１１】
図８は、上記ステップＳ２００の印刷処理の詳細内容を表すフローチャートである。図８に示すように、ステップＳ２０５では、ＣＰＵ３０１は、ＲＡＭ３０３の所定の記憶エリア（以下、動作回数記憶エリアと記載する）に動作回数「０」を記憶することで動作回数を初期化する。動作回数は、各印刷処理（初期印刷、中期印刷、後期印刷、仕上げ）を実際に行った回数であり、前述の各印刷モードごとに定まった完了回数とは異なるものである（後述の図９及び図１０参照）。
【０１１２】
ステップＳ２１０では、ＣＰＵ３０１は、出力インターフェース３０５を介してＸ軸モータ駆動回路３０７に駆動信号を出力し、キャリッジ１０２をＸ軸方向に沿って移動させることで印刷ヘッド１０１を移動させる。これと共に、ＣＰＵ３０１は、出力インターフェース３０５を介してＹ軸モータ駆動回路３０８に駆動信号を出力し、載置テーブル１０５をＹ軸方向に沿って移動させる。このような印刷ヘッド１０１のＸ軸方向の移動と載置テーブル１０５のＹ軸方向の移動により、印刷ヘッド１０１を開始位置に移動させる。開始位置は、載置テーブル１０５に載置した被印刷媒体１０４に対する印刷開始位置の上方位置である。これにより、載置テーブル１０５は印刷ヘッド１０１によるインクの吐出及びＵＶ照射装置１２１による紫外線照射が可能な処理領域に移動したことになる。
【０１１３】
ステップＳ２１５では、ＣＰＵ３０１は、ＵＶ照射装置１２１のＵＶ−ＬＥＤ１２１ａが点灯しているか否かを判定する。ＣＰＵ３０１は、この判定をＵＶ装置駆動回路３１０に対して照射信号を出力しているか否かにより行う。ＵＶ−ＬＥＤ１２１ａが点灯している場合には（ステップＳ２１５でＹＥＳ）、ステップＳ２２５に直接移行する。一方、ＵＶ−ＬＥＤ１２１ａが点灯していない場合には（ステップＳ２１５でＮＯ）、ステップＳ２２０に移り、ＣＰＵ３０１は、出力インターフェース３０５を介してＵＶ装置駆動回路３１０に照射信号を出力し、ＵＶ照射装置１２１のＵＶ−ＬＥＤ１２１ａを点灯させて紫外線の照射を開始する。そして、ステップＳ２２５に移行する。
【０１１４】
なお、上記ステップＳ２２０におけるＵＶ照射装置１２１の照射量は、前述したステップＳ１０の印刷前処理で設定した印刷モードごとに定まっている（後述の図９及び図１０参照）。ＣＰＵ３０１は、設定した印刷モードに基づき、対応する照射量情報をＲＡＭ３０３の所定の記憶エリア（以下、照射量調整％記憶エリアと記載する）から読み出し、当該照射量となるように照射を行う。
【０１１５】
ステップＳ２２５では、ＣＰＵ３０１は、図示しないポンプを駆動してインクタンク１０６から印刷ヘッド１０１へインクを供給すると共に、出力インターフェース３０５を介して印刷ヘッド駆動回路３０６に制御信号を出力し、印刷ヘッド１０１より被印刷媒体１０４に対してインクを吐出する。このときのインク量は、前述したステップＳ１０の印刷前処理で設定した印刷モードごとに定まっている（後述の図９及び図１０参照）。ＣＰＵ３０１は、設定した印刷モードに基づき、対応するインク量情報をＲＡＭ３０３の所定の記憶エリア（以下、インク量調整％記憶エリアと記載する）から読み出し、当該インク量となるようにインクの吐出を行う。
【０１１６】
ステップＳ２３０では、ＣＰＵ３０１は、出力インターフェース３０５を介してＸ軸モータ駆動回路３０７に駆動信号を出力し、キャリッジ１０２をＸ軸方向に沿って移動させることで印刷ヘッド１０１をＸ軸方向に移動させる。これにより、Ｘ軸方向の印刷を行う。
【０１１７】
ステップＳ２３５では、ＣＰＵ３０１は、Ｘ軸方向の印刷が完了したか否かを判定する。ＣＰＵ３０１は、この判定をキャリッジ１０２がＸ軸方向における所定位置まで移動したか否かを検出することにより行う。Ｘ軸方向の印刷が完了していない場合には（ステップＳ２３５でＮＯ）、上記ステップＳ２２５に戻りＸ軸方向の印刷を継続する。一方、Ｘ軸方向の印刷が完了した場合には（ステップＳ２３５でＹＥＳ）、次のステップＳ２４０に移行する。
【０１１８】
ステップＳ２４０では、ＣＰＵ３０１は、出力インターフェース３０５を介してＹ軸モータ駆動回路３０８に駆動信号を出力し、載置テーブル１０５をＹ軸方向に沿って移動させる。これにより、載置テーブル１０５はＹ軸方向に一行分移動する。なおこのとき、例えば被印刷媒体１０４の表面に凹凸があったり、被印刷媒体１０４が立体的形状を有するような場合には、ＣＰＵ３０１は必要に応じてＺ軸モータ駆動回路３０９にも駆動信号を出力し、載置テーブル１０５をＺ軸方向にも移動させる。
【０１１９】
ステップＳ２４５では、ＣＰＵ３０１は、Ｙ軸方向の印刷が完了したか否かを判定する。ＣＰＵ３０１は、この判定を載置テーブル１０５がＹ軸方向における所定位置まで移動したか否かを検出することにより行う。Ｙ軸方向の印刷が完了していない場合には（ステップＳ２４５でＮＯ）、上記ステップＳ２２５に戻り再びＸ軸方向の印刷を行う。一方、Ｙ軸方向の印刷が完了した場合には（ステップＳ２４５でＹＥＳ）、次のステップＳ２５０に移行する。
【０１２０】
ＣＰＵ３０１は、上述したステップＳ２２５〜ステップＳ２４５をＹ軸方向の印刷が完了するまで繰り返す。この間、キャリッジ１０２をＸ軸方向に移動させて印刷ヘッド１０１により一行分のインクを吐出した後、載置テーブル１０５をＹ軸方向に一行分移動させ、再び印刷ヘッド１０１による次の行分のインクの吐出を実行することを繰り返す。
【０１２１】
ステップＳ２５０では、ＣＰＵ３０１は、上記ステップＳ２０５においてＲＡＭ３０３の上記動作回数記憶エリアに記憶した動作回数に１を加算し、次のステップＳ２５５において動作回数記憶エリアの内容を当該加算した動作回数に更新する。
【０１２２】
ステップＳ２６０では、ＣＰＵ３０１は、印刷動作を完了するか否かを判定する。具体的には、ＣＰＵ３０１は、前述したステップＳ１０の印刷前処理で設定した印刷モードに基づき、対応する印刷の完了回数に関わる情報をＲＡＭ３０３の上記完了回数記憶エリアから読み出し、上記ステップＳ２５５で上記動作回数記憶エリアに記憶した動作回数が、上記読み出した完了回数に達しているか否かを判定する。動作回数が完了回数に達していない場合には（ステップＳ２６０でＮＯ）、先のステップＳ２１０に戻り、再び同様の手順を繰り返す。一方、動作回数が完了回数に達している場合には（ステップＳ２６０でＹＥＳ）、ステップＳ２６５に移行する。
【０１２３】
ステップＳ２６５では、ＣＰＵ３０１は、出力インターフェース３０５を介してＵＶ装置駆動回路３１０に停止信号を出力し、ＵＶ照射装置１２１のＵＶ−ＬＥＤ１２１ａを消灯させて紫外線の照射を停止する。以上により、本サブルーチンを終了する。
【０１２４】
なお、初期印刷、中期印刷及び後期印刷のいずれかにおいて手作業前の最後の上記ステップＳ２００の印刷処理を行う場合、上記ステップＳ２６５においては、ＣＰＵ３０１が、その後のステップＳ１５０においてＹ軸モータ１０８及びボールネジ１０９が載置テーブル１０５を作業位置に移動させた状態において、ＵＶ照射装置１２１による紫外線の照射を停止させることになる。したがって、ステップＳ２６５が特許請求の範囲に記載の照射停止手段として機能する。
【０１２５】
また、上記ステップＳ２３０及びステップＳ２４０において、ＣＰＵ３０１は、Ｘ軸モータ１１１を制御してＵＶ照射装置１２１をキャリッジ１０２と共にＸ軸方向に沿って移動させると共に、Ｙ軸モータ１０８を制御して載置テーブル１０５をＹ軸方向に沿って移動させる。これにより、載置テーブル１０５とＵＶ照射装置１２１とを相対的に移動させるよう、Ｘ軸モータ１１１及びＹ軸モータ１０８を制御することになるので、これらステップＳ２３０及びステップＳ２４０が特許請求の範囲に記載の移動制御手段として機能する。
【０１２６】
次に、上述した制御内容に基づいてインクジェット記録装置１００が行う具体的な動作について説明する。図９は、各種印刷設定を含むデータテーブルの一例を表す図である。ＲＡＭ３０３は、このデータテーブルを所定の記憶エリアに記憶している。
【０１２７】
図９に示すデータテーブルは、インクジェット記録装置１００で布や金属等である被印刷媒体１０４に対し正像印刷を行う場合のテーブルである。図９に示す各印刷モードのうち、モード番号が「１」〜「６」である印刷モードは、図に示すように手作業及び仕上げの処理を行わないモードである。したがって、これらの印刷モードは特許請求の範囲に記載の「一括記録モード」に相当する。一方、図９に示す各印刷モードのうち、モード番号が「７」〜「１２」である印刷モードは、図に示すように手作業及び仕上げの両方の処理を行うモードである。したがって、これらの印刷モードは初期印刷、中期印刷及び後期印刷のうちの少なくとも１つによるインクの吐出及び紫外線の照射と、手作業を行うための前述したステップＳ１５０による載置テーブル１０５の移動と、仕上げを行うための前述のステップＳ１６５及びステップＳ２００による紫外線の照射とを実行するモードであり、特許請求の範囲に記載の「多段記録モード」に相当する。
【０１２８】
上記印刷モード「１」〜「６」では、初期印刷、中期印刷及び後期印刷におけるインクを「完全硬化」させるのに対し、印刷モード「７」〜「１２」では、初期印刷、中期印刷及び後期印刷のうち手作業前の最終の印刷層におけるインクを「半硬化」させることにより、当該インクの粘着性を利用してラメ等の装飾材を被印刷媒体１０４に付着させるものである。
【０１２９】
ここで、上記「完全硬化」とは、インクが硬化することにより粘着性をほぼ完全に喪失した状態であり、具体的には当該インクを粘着剤として使用した場合に、ＪＩＳ  Ｚ３２８４に準拠したタッキング試験機による評価においてインクの引張荷重が０となる状態である。「完全硬化」のための照射量としては、「完全硬化」の状態になるときの照射量の最小値以上であればいい。なお、このインクの引張加重が０となるインクの硬化段階が、特許請求の範囲に記載の所定の硬化段階に相当する。また「半硬化」とは、インクが硬化により完全には粘着性を喪失していない状態であり、具体的にはインクが上記「完全硬化」の状態になるときの照射量の最小値である完全硬化照射量の０．０５倍〜０．９５倍の範囲の照射量によって当該インクが硬化した状態である。
【０１３０】
以下に、操作者が図９中の印刷モード「７」を選択した場合について説明する。操作者がＰＣ３２０の図示しないキーボードやマウス等の操作手段を介して印刷モード「７」を選択すると、ＣＰＵ３０１は、図６に示すステップＳ１０において、入力インターフェース３０４を介して当該モードを特定する信号を入力し、印刷モードを「７」に設定する。なお、このように操作者がモード選択操作を行うのではなく、例えば画像データにモードを特定するデータが含まれており、操作者が印刷する画像を選択するとＣＰＵ３０１が画像データに含まれる上記データに従ってモード設定を行う構成としてもよい。
【０１３１】
その後、操作者が被印刷媒体１０４を載置テーブル１０５に載置し、ＰＣ３２０より印刷開始指令を入力すると（ステップＳ２０でＹＥＳ）、ステップＳ１００に移行して、ＣＰＵ３０１は各印刷モード動作処理を実行する。当該印刷モード「７」では初期印刷の完了回数が「１」となっているため（ステップＳ１０５でＹＥＳ）、ステップＳ１１０においてＣＰＵ３０１は印刷モード「７」に対応した初期印刷各種設定を行う。具体的には、図９に示すように、ＣＰＵ３０１は初期印刷の色設定を画像データに従った色である原色（イエロー、マゼンタ、シアン、ブラック、又は白）、インク量調整％を１００％、照射量調整％を５０％に設定する。そして、ステップＳ２００においてＣＰＵ３０１は上記印刷設定に基づいて１回の初期印刷処理を実行する。
【０１３２】
なお、上記インク量調整％の値は、完全硬化しつつ１回の印刷で印刷処理を完了する場合のインク量を１００％とした場合の値であり、上記照射量調整％の値は、上述した完全硬化照射量（インクが「完全硬化」の状態となるときの照射量の最小値）を１００％とした場合の値である。印刷モード「７」では、初期印刷の照射量を完全硬化照射量の５０％に設定しているため、初期印刷でのインクは「半硬化」した状態となり、図１３に示すように、当該インクの粘着性を利用して後述するように装飾材を被印刷媒体１０４に付着させることが可能となっている。すなわち、当該初期印刷で形成した印刷層は粘着層として機能する。
【０１３３】
なお、上記ではインクを「半硬化」させるための照射量を完全硬化照射量の５０％としたが、これに限らず、完全硬化照射量の５％〜９５％の範囲の照射量であればよい。下限値を５％としたのは、これより下の値ではインクが液体に近い状態となり粘着性を得ることができず、この上にラメ等の装飾材を付与するとインク中に装飾材が沈んでしまい本来の装飾性に達しないからである。また上限値を９５％としたのは、これより上の値ではインクが「完全硬化」に近い状態となりこの場合も粘着性を得ることができないからである。
【０１３４】
次に、印刷モード「７」では中期印刷及び後期印刷の完了回数が「０」となっているため（ステップＳ１１５及びステップＳ１２５でＮＯ）、ＣＰＵ３０１は中期印刷及び後期印刷を行わずに処理をステップＳ１３５に移行する。そして、印刷モード「７」では手作業が「有り」となっているため（ステップＳ１３５でＹＥＳ）、ステップＳ１４０及びステップＳ１４５において、ＣＰＵ３０１は各種情報表示及び必要に応じてメンテナンス処理を行う。このとき、前述したように、ＣＰＵ３０１は上記ステップＳ１４０において、ステップＳ１６５及びステップＳ２００による仕上げ処理に関する情報をＬＣＤ３２１に表示する。具体的には、この後の仕上げ処理を何時何分から開始し、どのくらいの照射量で行うかといった情報の表示を行う。これにより、操作者は装飾材の散布作業をいつまでにしなければならないか等の時間的な目安を確実に知ることができる。
【０１３５】
その後、ステップＳ１５０において、ＣＰＵ３０１は載置テーブル１０５を処理領域から作業位置に移動させる。このとき、印刷モード「７」では手作業の種類が「ラメ散布」であるため、操作者は露出した被印刷媒体１０４に対してラメを散布して付着させることで装飾を行う。これにより、印刷後の被印刷媒体１０４の装飾性を向上することができる。なお、装飾材としてはラメに限るものではなく、例えばスパンコール等でもよい。その他、金属（蒸着したものを含む）、セラミックス、有機材料、樹脂のいずれかから成り、箔（アルミ蒸着したものを含む）、粉体、ビーズ、及び繊維のうち、少なくとも１つの形状で構成されているものでもよい。これらの装飾材が特許請求の範囲に記載の固体要素に相当する。
【０１３６】
上記作業が完了し、操作者がその旨をＰＣ３２０の操作手段を介して入力すると（ステップＳ１５５でＹＥＳ）、ＣＰＵ３０１は処理をステップＳ１６０に移行する。そして、印刷モード「７」では仕上げの完了回数が「１」となっているため（ステップＳ１６０でＹＥＳ）、ステップＳ１６５においてＣＰＵ３０１は印刷モード「７」に対応した仕上げ制御各種設定を行う。具体的には、図１０に示すように、ＣＰＵ３０１はインク量調整％を０％、照射量調整％を１００％に設定する。そして、ステップＳ２００においてＣＰＵ３０１は上記印刷設定に基づいて１回の仕上げ印刷処理を実行する。
【０１３７】
なお、印刷モード「７」では仕上げの色設定が「無し」、インク量調整％が「０」となっているため、仕上げ印刷処理ではインクの吐出を行わない。また、仕上げの照射量を完全硬化照射量である１００％に設定しているため、上述したように初期印刷において「半硬化」となったインクが、当該仕上げ印刷処理により「完全硬化」する。これにより、半硬化状態で被印刷媒体１０４に付着させた装飾材を、その後のインクの硬化により固定することができる。
【０１３８】
次に、操作者が一括記録モード、例えば図９中の印刷モード「５」を選択した場合について説明する。この印刷モード「５」では、初期印刷、中期印刷及び後期印刷の完了回数が全て「１」となっており（ステップＳ１０５、ステップＳ１１５、ステップＳ１２５でＹＥＳ）、手作業が「無し」（ステップＳ１３５でＮＯ）、且つ、仕上げの完了回数が「０」となっているため（ステップＳ１６０でＮＯ）、ＣＰＵ３０１はステップＳ１１０、ステップＳ１２０、ステップＳ１３０で印刷モード「５」に対応した印刷各種設定を行い、それぞれのステップＳ２００において上記印刷設定に基づき初期印刷、中期印刷及び後期印刷を各１回ずつ実行する。ここでは、初期印刷、中期印刷及び後期印刷の全てについて照射量を完全硬化照射量である１００％に設定しているため、各印刷でのインクは「完全硬化」した状態となる。その後、ステップＳ１７０において、ＣＰＵ３０１は載置テーブル１０５を処理領域から排出位置に移動させる。
【０１３９】
以上説明した実施形態のインクジェット記録装置１００においては、図９に示す印刷モード「７」〜「１２」では、初期印刷、中期印刷及び後期印刷に基づくインクの吐出及び紫外線の照射の後、ステップＳ１５０において、ＣＰＵ３０１が処理領域から作業位置へ載置テーブル１０５を移動させる。操作者は、移動した載置テーブル１０５に載った被印刷媒体１０４に付着した粘着性を備えている状態のインクに対し、ラメ等の装飾材の散布作業を実行することができる。載置テーブル１０５の作業位置への移動及び散布作業の後、ステップＳ１６５及びステップＳ２００において、ＣＰＵ３０１は、作業位置から処理領域へ再び載置テーブル１０５を移動させる。ＵＶ照射装置１２１は、移動した載置テーブル１０５に載せた被印刷媒体１０４のインクの外表面の少なくとも一部に対し、再度紫外線を照射し、装飾材を散布したインクを粘着性を喪失させるように所定の硬化段階を超えるまで硬化させる。このように、本実施形態のインクジェット記録装置１００によれば、紫外線の照射により硬化進行中で粘着性を備えているインクに対し、操作者が装飾材を散布して定着させた後、さらに紫外線を照射して硬化させることができる。インクの種類や色合いだけで装飾を図る従来手法と異なり、インク以外の材料により装飾を行えるので、装飾性を向上することができる。
【０１４０】
さらに、本実施形態では操作者が手作業で装飾材を散布できるようにしたことで、次のような効果も得ることができる。仮に、装飾性を向上するためにラメ等の装飾材を含有したインクを用いた場合、当該インクを印刷ヘッド１０１のノズルから吐出するためには、装飾材の大きさをノズルの径よりも小さくする必要があり、その形状も球状に近いものとする必要がある。このため、装飾材の大きさや形状が制限を受ける。また、インクが装飾材を過剰に含有すると印刷ヘッド１０１がインクを吐出できなくなるおそれがあるため、装飾材の含有量も制限を受ける。これに対し、本実施形態では操作者が手作業で装飾材を付着させるので、装飾材の大きさや形状及びその量について、上述のような制限を受けることがなく、例えばノズルの径よりも大きな装飾材についても付着させることができる。このように、操作者は所望の大きさ、形状の装飾材を所望の量だけ付着させることができるので、装飾性をより向上することができる。
【０１４１】
また、装飾材を含有させたインクにおいては、装飾材はインクを構成する液体状の溶媒中に浮遊するが、インクが紫外線により硬化すると、硬化した溶媒がインクの表面を覆い、大半の装飾材が硬化した溶媒の内側に位置することになる。このため、自然光や電灯の光がインク表面に当たっても、装飾材に到る前に硬化した溶媒自体によって光量が弱まったり乱反射してしまう。また光が装飾材に届いたとしても、硬化した溶媒自体によって反射光の光量が弱まったり、硬化物の中で乱反射してしまう。このようなことから、装飾材を含有するインクでは装飾機能を十分に発揮することができない。これに対し、本実施形態では操作者が被印刷媒体１０４の外表面に装飾材を付着させるので、装飾材が硬化した溶媒の内側に位置するようなことはなく、装飾材は装飾機能を十分に発揮することができる。
【０１４２】
また仮に、通常のインクを用い、吐出された直後のインクに装飾材を散布して、その後に紫外線を照射してインクを硬化させたとしても、吐出直後のインクは液体状であるため、装飾材がある程度インク内に沈み、その状態で固定されてしまう。これに対し、本実施形態ではインクを「半硬化」させた状態において、操作者が装飾材を散布して定着させるので、装飾材がインク内に沈み込むことはなく、装飾性をより向上することができる。
【０１４３】
また、本実施形態では特に、装飾材の散布を行わない場合には、図９に示す印刷モード「１」〜「６」の一括記録モードを用いる。これらの印刷モードでは所定の硬化段階を超えるまで紫外線を照射し、インクを十分に硬化させることができる。一方、装飾材の散布を行う場合には、図９に示す印刷モード「７」〜「１２」の多段記録モードを用いる。これらの印刷モードでは、所定の硬化段階まで紫外線を照射してインクに粘着性を残した状態で装飾材の散布を行うので、インクの粘着性により装飾材を確実に定着することができる。
【０１４４】
また、本実施形態では特に、ステップＳ２６５において、ＣＰＵ３０１が、載置テーブル１０５がステップＳ１５０において作業位置に移動する前にＵＶ照射装置１２１よる紫外線の照射を停止させる。これにより、被印刷媒体１０４が作業位置へ移動した状態で、ＵＶ照射装置１２１が無駄に照射を行うのを防止することができる。
【０１４５】
また、本実施形態では特に、ステップＳ１４５において、ＣＰＵ３０１は、載置テーブル１０５を作業位置に移動させた状態において、印刷ヘッド１０１に対し所定のメンテナンス動作を実行させる。これにより、被印刷媒体１０４が作業位置へ移動し処理領域に不在となった状態を活用し、印刷ヘッド１０１のフラッシングやパージ等のメンテナンスを行うことができる。
【０１４６】
また、本実施形態では特に、ステップＳ１４０において、ＣＰＵ３０１は、ステップＳ１６５及びステップＳ２００による仕上げ処理に関する情報をＬＣＤ３２１に表示する。装飾材をインクに対し所望の態様で定着させるには、装飾材の散布の後の照射を例えばいつ頃からどのように開始すればよいかを知っておくことが望ましい。本実施形態では、上述のように仕上げ処理に関する情報をＬＣＤ３２１に表示するので、操作者は、例えば上記の時間的な目安を確実に知ることができる。
【０１４７】
また、本実施形態では特に、ステップＳ２３０及びステップＳ２４０において、ＣＰＵ３０１が、載置テーブル１０５に載った被印刷媒体１０４とＵＶ照射装置１２１とが相対移動するように制御する。これにより、ＵＶ照射装置１２１は紫外線を種々の角度でインクに照射することができる。この結果、装飾材がインクの外表面に位置する場合であっても、当該装飾材に遮られない角度から装飾材の裏側のインク部分に対し確実に照射を行うことができ、インクを効率的に硬化することができる。
【０１４８】
また、本実施形態では特に、印刷ヘッド１０１が、エポキシ化合物、オキセタン加工物、及びビニルエーテル加工物のうち少なくとも１つと、重合開始剤、増感剤を含む、カチオン系のインクを吐出する。このようにカチオン系のインクを用い、紫外線を照射することで、インクの粘着性を外表面から喪失させ、インクを経時的に硬化させることができる。
【０１４９】
また、本実施形態では特に、ステップＳ１６５及びステップＳ２００の仕上げ処理において、ＣＰＵ３０１が、所定の硬化段階としての、ＪＩＳ  Ｚ３２８４に準拠したタッキング試験機による評価においてインクの引張荷重が０となる段階、を超えるまで紫外線を照射するように、ＵＶ照射装置１２１を制御する。これにより、インクを「完全硬化」状態とし、十分なインクの硬化状態を得ることができる。
【０１５０】
また、本実施形態では特に、初期印刷、中期印刷及び後期印刷において、ＣＰＵ３０１が、完全硬化照射量の０．０５倍〜０．９５倍の範囲の照射量を照射するように、ＵＶ照射装置１２１を制御する。これにより、インクを「半硬化」状態とし、粘着性を確実に残しているインクの硬化状態を得ることができる。
【０１５１】
また、本実施形態では特に、装飾材は、セラミック、樹脂、金属のいずれかから成り、粒状、フィルム、粉体、及び繊維のうち、少なくとも１つの形状で構成されている。このように各種材料により構成された装飾材を用いて装飾を行うことにより、装飾性を向上することができる。
【０１５２】
なお、本発明は、上記実施形態に限るものではなく、その趣旨及び技術的思想を逸脱しない範囲内で種々の変形が可能である。以下、そのような変形例を順を追って説明する。
【０１５３】
（１）装飾材を自動散布する場合
上記実施形態では、操作者が手作業で装飾材を散布するようにしたが、これに限らず、装飾材を自動的に散布するようにしてもよい。
【０１５４】
本実施形態のインクジェット記録装置１００は、例えばキャリッジ１０２の近傍に、載置テーブル１０５に載置した被印刷媒体１０４上に装飾材を散布可能な散布装置（図示せず）を備えている。この散布装置（散布手段）としては、例えば圧縮エアを用いて装飾材を噴出させる噴出装置や、篩を振動させて装飾材を散布する篩装置等を採用することができる。
【０１５５】
図１０は、本変形例における各印刷モード動作処理の詳細内容を表すフローチャートであり、前述の図７に対応する図である。図１０において、前述の図７と異なる点は、ステップＳ１５０の代わりにステップＳ１５０Ａを設けたことである。すなわち本変形例では、ステップＳ１３５において、ＣＰＵ３０１が操作者による手作業があるか否かを判定し、手作業がある場合には（ステップＳ１３５でＹＥＳ）、ステップＳ１４０及びステップＳ１４５において、各種情報表示とメンテナンス処理を実行する。
【０１５６】
その後、ステップＳ１５０Ａでは、ＣＰＵ３０１は、出力インターフェース３０５を介して散布装置駆動回路（図示せず）に駆動信号を出力し、散布装置を駆動させて装飾材を散布する。ＣＰＵ３０１は、この装飾材散布処理を、載置テーブル１０５を処理領域に位置させつつ実行するため、前述の実施形態のように載置テーブル１０５の作業位置への移動は行わない。その後のステップＳ１６０以降の手順は図７と同様である。また、上記以外のＣＰＵ３０１が実行する制御内容は、前述の実施形態と同様である。
【０１５７】
上記図１０に示すフローチャートにおいて、前述したステップＳ１０の印刷前処理で設定した印刷モードが後述の図９に示す印刷モード「７」〜「１２」である場合には、ステップＳ１１０及びステップＳ２００、ステップＳ１２０及びステップＳ２００、並びに、ステップＳ１３０及びステップＳ２００が、特許請求の範囲に記載の第１制御手段として機能すると共に、第１手順に相当する。
【０１５８】
また、上記ステップＳ１５０Ａにおいて、ＣＰＵ３０１は、上記ステップＳ１１０及びステップＳ２００、ステップＳ１２０及びステップＳ２００、並びに、ステップＳ１３０及びステップＳ２００により実行したインクの吐出及び紫外線の照射の後、被印刷媒体１０４に付着したインクに対し、装飾材の散布を行うように散布装置を制御することになる。したがって、ステップＳ１５０Ａが特許請求の範囲に記載の第２制御手段として機能すると共に、第２手順に相当する。また上記ステップＳ１６５及びステップＳ２００が、第３制御手段として機能すると共に、第３手順に相当する。
【０１５９】
本変形例によれば、紫外線の照射により硬化進行中で粘着性を備えているインクに対し、自動的に装飾材を散布して定着させた後、さらに紫外線を照射して硬化させることができる。インクの種類や色合いだけで装飾を図る従来手法と異なり、インク以外の材料により装飾を行えるので、装飾性を向上することができる。また自動的に装飾材を散布するので、操作者が手作業で散布を行う場合に比べて作業負担を軽減できる。さらに、手作業を行う場合に比べて載置テーブル１０５の移動が少なくなるので、印刷処理時間を短縮することができる。
【０１６０】
なお、本変形例において、ＣＰＵ３０１が、散布装置で散布する装飾材の量に応じて、初期印刷、中期印刷及び後期印刷における照射量を変更するようにしてもよい。例えば、散布装置による散布量が多い場合には、初期印刷、中期印刷及び後期印刷における照射量が小さくなるようにＵＶ照射装置１２１を制御することで、インクの硬化程度を低くして粘着性を高くし、より多くの装飾材を確実に定着させることができる。また、散布装置による散布量が少ない場合には、初期印刷、中期印刷及び後期印刷における照射量が大きくなるようにＵＶ照射装置１２１を制御することで、インクの硬化程度を高くして粘着性を低く、より迅速な硬化を優先した定着を行うことができる。
【０１６１】
（２）気流により余分な装飾材を除去する場合
上記実施形態では、操作者が手作業で装飾材を散布するが、手作業であるため装飾材の散布量が過剰となる場合も考えられる。この場合、そのまま印刷処理を進めると、その後の仕上げ処理において過剰な装飾材が紫外線を遮断し、インクが適正に硬化しないおそれがある。本変形例は、このようなことを防止するために、ブロアファン１２７による気流で余分な装飾材を除去するものである。
【０１６２】
前述したように、インクジェット記録装置１００のキャリッジ１０２は、ダクトカバー１２２の中央上部にブロアファン１２７（流動手段）を有している。このブロアファン１２７による気流は、印刷ヘッド１０１の背面に設けた熱交換用フィン１２８及びＵＶ照射装置１２１の上面に設けた熱交換用フィン１３３を介して印刷ヘッド１０１及びＵＶ照射装置１２１を冷却した上で、水平部１０２ａの後側に設けた噴出口１３４から被印刷媒体１０４に向かって流出する。本変形例では、この流出した気体を利用して余分な装飾材を除去する。
【０１６３】
なお、ブロアファン１２７を用いるのではなく、装飾材を除去するための専用のファンを別途設けてもよい。ファンとしては、送風式だけでなく吸引式を採用することもできる。
【０１６４】
図１１は、本変形例における各印刷モード動作処理の詳細内容を表すフローチャートであり、前述の図７に対応する図である。図１１において、前述の図７と異なる点は、ステップＳ１５７を追加したことである。すなわち本変形例では、ステップＳ１５５において、ＣＰＵ３０１は、操作者による手作業が完了したか否かを判定し、操作者がＰＣ３２０の上記操作手段を介して作業完了信号を入力した場合には（ステップＳ１５５でＹＥＳ）、ステップＳ１５７に移行する。
【０１６５】
ステップＳ１５７では、ＣＰＵ３０１は、出力インターフェース３０５を介してブロアファン駆動回路３１１に駆動信号を出力し、ブロアファン１２７を駆動させる。これによりチャンバー１２３内に気体の流動が発生し、噴出口１３４から被印刷媒体１０４に向かって流出する。この際、余分な装飾材は「半硬化」状態のインクに接触しておらずインクに付着していないため、噴出した気体により容易に除去することができる。その後のステップＳ１６０以降の手順は図７と同様である。また、上記以外のＣＰＵ３０１が実行する制御内容は、前述の実施形態と同様である。
【０１６６】
上記において、ステップＳ１５７では、ＣＰＵ３０１は、ステップＳ１５０の実行後でステップＳ１６５及びステップＳ２００による仕上げ処理に基づく紫外線の照射の完了前に、気体流動を実行するようブロアファン１２７を制御することになる。したがって、ステップＳ１５７は、特許請求の範囲に記載の流動制御手段として機能する。
【０１６７】
本変形例によれば、ブロアファン１２７による気体の送風により過剰な装飾材を除去することで装飾材による紫外線の遮断を防ぎ、インクを効率的に硬化することができる。
【０１６８】
なお、前述したように、ＣＰＵ３０１は、サーミスタ１３１，１３５の検出結果に基づいてブロアファン１２７の駆動を制御し、印刷ヘッド１０１及びＵＶ照射装置１２１を中心とするチャンバー１２３内の温度制御を行う。したがって、図１１には特に図示していないが、初期印刷、中期印刷及び後期印刷においても、ＣＰＵ３０１は適宜ブロアファン１２７を駆動させて印刷ヘッド１０１及びＵＶ照射装置１２１の冷却を行う。この初期印刷、中期印刷及び後期印刷における冷却処理においては、ＣＰＵ３０１は、ＵＶ照射装置１２１による紫外線の照射時において、当該ＵＶ照射装置１２１に向かって気体を流動するようにＵＶ照射装置１２１を制御する。したがって、このような初期印刷、中期印刷及び後期印刷における冷却処理も、特許請求の範囲に記載の流動制御手段として機能する。このように、本変形例によれば、ブロアファン１２７を除去機構及び冷却機構として兼用することができるので、装置構成を簡素化できる。
【０１６９】
また、前述の図３及び図４に示すように、キャリッジ１０２は噴出口１３４を水平部１０２ａの後側に設けているが、例えば噴出口１３４を印刷ヘッド１０１の周囲に設けることにより、気流がインクを印刷ヘッド１０１から遠ざけるように噴出する構成としてもよい。この場合、初期印刷、中期印刷及び後期印刷におけるインクの吐出中に、ブロアファン１２７がインクを印刷ヘッド１０１から遠ざける気体流動を行うことができるので、被印刷媒体１０４からの跳ね返り等による印刷ヘッド１０１へのインク付着を防止することができる。また、ブロアファン１２７をこのようなインクの付着防止機構及び除去機構として兼用することができるので、装置構成を簡素化できる。
【０１７０】
さらに、本変形例において、ＣＰＵ３０１が、ステップＳ１６５及びステップＳ２００による仕上げ処理での紫外線の照射量に応じて、ブロアファン１２７による気流の強さを制御するようにしてもよい。例えば、仕上げ処理での紫外線の照射量が小さいほど弱い気流を生じるようにブロアファン１２７を制御することで、硬化の程度が低くまだ柔らかい外表面のインクに強い気流が当たり、その外表面の装飾材がインクの内部に不用意に沈むのを防止することができる。なお、通常は硬化程度が低い場合には多量の装飾材を散布するため、上記のように気流を弱くすることで装飾材が残る可能性があるが、この場合には例えば下記に示すような別途の除去手段で除去すればよい。
【０１７１】
（３）ブロアファン以外の装飾材除去手段
上記変形例（２）では、ブロアファン１２７による気流を利用して余分な装飾材を除去するようにしたが、余分な装飾材を除去する除去装置（図示せず）を別途設けてもよい。この除去装置（除去手段）としては、例えば静電気を用いた金属製の装飾材の吸着除去装置や、振動による装飾材の回収装置等を採用することができる。
【０１７２】
図１２は、本変形例における各印刷モード動作処理の詳細内容を表すフローチャートであり、前述の図１１に対応する図である。図１２において、前述の図１１と異なる点は、ステップＳ１５７の代わりにステップＳ１５７Ａを設けたことである。このステップＳ１５７Ａでは、ＣＰＵ３０１は、出力インターフェース３０５を介して除去装置駆動回路（図示せず）に駆動信号を出力し、除去装置を駆動させる。除去装置は、ＵＶ照射装置１２１の紫外線の照射によって硬化されたインクの外表面に対して移動可能な状態の装飾材を除去する。
【０１７３】
上記において、ステップＳ１５７Ａでは、ＣＰＵ３０１は、ステップＳ１５０の実行後でステップＳ１６５及びステップＳ２００による仕上げ処理に基づく紫外線の照射の完了前に、装飾材の除去を実行するよう除去装置を制御することになる。したがって、ステップＳ１５７Ａは、特許請求の範囲に記載の除去制御手段として機能する。
【０１７４】
（４）照射量でなくインクの硬化段階を設定する場合
上記実施形態では、操作者が選択した印刷モードに対応して、ＣＰＵ３０１が照射量を設定する。しかし、インクの種類、使用環境、固体要素の種類、記憶媒体の種類等によって、同一の照射量であってもインクの硬化段階は一定ではない。硬化段階がどの程度であるかにより、装飾材のインクへの密着度や完全硬化するまでの時間が長短する。本変形例は、このような点に鑑み、インクの硬化段階を設定するようにしたものである。
【０１７５】
具体的には、操作者がＰＣ３２０の操作手段を介して、印刷モードを選択すると、ＣＰＵ３０１がステップＳ１１０において、初期印刷、中期印刷及び後期印刷におけるインクの硬化段階を設定する。そしてＣＰＵ３０１は、設定した硬化段階に対応した照射量の紫外線の照射を行うように、ＵＶ照射装置１２１を制御する。なお、このように操作者がモード選択操作を行うのではなく、例えば画像データに硬化段階を特定するデータが含まれており、操作者が印刷する画像を選択するとＣＰＵ３０１が画像データに含まれる上記データに従って硬化段階を行う構成としてもよい。
【０１７６】
本変形例においては、上記ステップＳ１１０が、特許請求の範囲に記載の硬化度設定手段として機能する。
【０１７７】
本変形例によれば、上記の種々のバリエーションに対応した形で、インクの硬化段階を操作者の所望の段階に確実に設定することができる。
【０１７８】
（５）期間、時点により照射量の設定を行う場合
上記実施形態では、操作者が印刷モードを選択することで、当該印刷モードに対応して予め定まった照射量に設定するようにしたが、このような固定した設定値から選択して照射量を設定するのではなく、操作者が被印刷媒体１０４のインクの外表面の粘着性に関連した期間や時点を入力することにより照射量を任意に設定できるようにしてもよい。
【０１７９】
例えば、図９に示す印刷モード「７」〜「１２」では、仕上げの照射量調整％は全て１００％となっているため、印刷処理が終了した段階で被印刷媒体１０４の印刷層は「完全硬化」状態となっている。しかし、例えば印刷時間を長く取れない場合や、印刷後の完成品を直接手渡しするのではなく送付する等の事情により、印刷直後に「完全硬化」している必要がない場合もある。したがって、本変形例では、操作者が最終的に完成品を得たい時点（例えば送付先に到達する時点）に「完全硬化」するように、ＵＶ照射装置１２１による照射量を設定する。具体的には、操作者がＰＣ３２０の操作手段を介して、操作者が最終的に完成品を得たい時点（若しくは現時点からその時点までの期間）を入力すると、ＣＰＵ３０１がステップＳ１１０において期間若しくは時点情報を取得し、当該情報に基づいて照射量を設定する。ＣＰＵ３０１は、この設定を、インクの種類（組成）ごとに定まった最初の照射量と完全硬化までに要する時間との相関を表す相関テーブル（図示せず。ＲＡＭ３０３が適宜の記憶エリアに記憶している）に基づいて行う。そしてＣＰＵ３０１は、選択した印刷モードのデータテーブルにおける仕上げ処理の照射量を当該照射量に設定する。
【０１８０】
例えば、操作者が図９中の印刷モード「１１」を選択した場合において、操作者が入力した時点に基づいて設定した照射量が８０％であった場合、印刷モード「１１」における仕上げにおける照射量調整％を「１００」から「８０」に変更する。これにより、操作者が最終的に得たいインクの硬化段階を、操作者の所望のタイミングで確実に得ることができる。また、仕上げにおいて「完全硬化」させる必要がないため、印刷時間を短縮することができる。
【０１８１】
本変形例においては、上記ステップＳ１１０が、特許請求の範囲に記載の時間情報取得手段として機能する。
【０１８２】
（６）その他
なお、以上において、図５に示す矢印は信号の流れの一例を示すものであり、信号の流れ方向を限定するものではない。また、図６乃至図８、図１０乃至図１２等に示すフローチャートは本発明を上記フローに示す手順に限定するものではなく、発明の趣旨及び技術的思想を逸脱しない範囲内で手順の追加・削除又は順番の変更等をしてもよい。
【０１８３】
以上では特に記載しなかったが、上記実施形態における被印刷媒体１０４は、被印刷媒体１０４へインクの転写を行うためにインクに対して剥離性を有しインクジェット記録装置１００内で循環する中間体も含むものである。また、載置テーブル１０５自体がインクに対して剥離性を有している場合には、載置テーブル１０５を被印刷媒体１０４とし、印刷結果であるインクを載置テーブル１０５の表面から剥がして別の物品に転写してもよい。
【０１８４】
上記実施形態では、ＵＶ照射装置１２１の電流値あるいは点灯個数を制御することにより照射量を変更するようにしたが、これに限らず、ＵＶ照射装置１２１が発生する紫外線の照射量については一定としつつ、当該紫外線を何らかの手段で遮蔽して残りの紫外線を通過させることにより、インクに到達する照射量を調整するようにしてもよい。
【０１８５】
また以上述べた「完全硬化」については、時間的な要因についてインクの硬化状態や粘着性との相対関係を考慮して、インクに対する紫外線の照射量を決定しているが、その他の要因を時間的な要因と共に考慮してもよい。印刷結果の周辺温度（インクジェット記録装置１００のヒータ１２９、補助ヒータ１３２、ＵＶ−ＬＥＤ１２１ａ、各種モータ１０８，１１１などが発する熱も含む）も、インクの硬化を進行させる要因として考慮してもよい。
【０１８６】
被印刷媒体１０４の種類や印刷層の構成、インクの色・量や紫外線照射量等に関し、ＲＡＭ３０３が所定の記憶エリアに記憶するデータテーブルは、インクジェット記録装置１００へネットワークや記憶媒体を介して外部から供給されても、インクジェット記録装置１００において操作者によって入力されてもよい。紫外線照射量については、インクの組成や使用用途に関連して、インクの硬化度（粘着度）と温度や時間経過の少なくとも一方との相関に応じて適宜決められる。紫外線照射量は、上記相関に応じ、温度や時間経過の少なくとも一方に応じて自動的に求められるように、インクジェット記録装置１００のプログラムを構成してもよい。インクへの紫外線照射量をさまざまに変え、温度や時間経過の少なくとも一方に応じて実験を重ねた結果に対応したデータテーブルを作成し、自動的、または、手動で、紫外線照射量を決定若しくは入力できるように、インクジェット記録装置１００のプログラムを構成してもよい。
【０１８７】
また、以上既に述べた以外にも、上記実施形態や各変形例による手法を適宜組み合わせて利用しても良い。
【符号の説明】
【０１８８】
１００            インクジェット記録装置（記録装置）
１０１            印刷ヘッド（吐出手段）
１０２            キャリッジ（移動手段）
１０４            被印刷媒体（被記録媒体）
１０５            載置テーブル（載置手段）
１０８            Ｙ軸モータ（駆動手段、移動手段）
１１１            Ｘ軸モータ（移動手段）
１２１            ＵＶ照射装置（照射手段）
１２７            ブロアファン（流動手段）
３０１            ＣＰＵ（制御手段）
【図１】
2011212908.tif 000003
【図２】
2011212908.tif 000004
【図３】
2011212908.tif 000005
【図４】
2011212908.tif 000006
【図５】
2011212908.tif 000007
【図６】
2011212908.tif 000008
【図７】
2011212908.tif 000009
【図８】
2011212908.tif 000010
【図９】
2011212908.tif 000011
【図１０】
2011212908.tif 000012
【図１１】
2011212908.tif 000013
【図１２】
2011212908.tif 000014
【図１３】
2011212908.tif 000015